(57)【特許請求の範囲】
【請求項１】
複数のワイヤレス通信デバイスから確認応答を受信するための方法であって、前記方法は下記を備える、
前記複数のワイヤレス通信デバイスに宛てられる第１の確認応答メッセージを送信することであって、前記第１の確認応答メッセージが、前記ワイヤレス通信デバイスがデバイス確認応答メッセージを送信すべき期間を各ワイヤレス通信デバイスに対して示す、送信することと、
前記ワイヤレス通信デバイスに対して示された、そのデバイス確認応答メッセージを送信するための前記期間内に送信されたデバイス確認応答メッセージを、前記複数のワイヤレス通信デバイスの各々から受信すること。
【請求項２】
前記複数のワイヤレス通信デバイスの各々をアドレス指定する単一の確認応答メッセージの形式で前記第１の確認応答メッセージを生成することをさらに備え、前記第１の確認応答メッセージを送信することが、前記複数のワイヤレス通信デバイスによる受信のために前記単一の確認応答メッセージを送信することを備える、請求項１に記載の方法。
【請求項３】
前記単一の確認応答メッセージが、前記単一の確認応答メッセージによってアドレス指定される前記複数のワイヤレス通信デバイスのアドレスのリストを備え、前記アドレスの前記リスト内の相対的な位置が、前記ワイヤレス通信デバイスがそのデバイス確認応答メッセージを送信すべき前記期間を示すものである、請求項２に記載の方法。
【請求項４】
アドレスの前記リストの中の各ワイヤレス通信デバイスのアドレスが、Ｔｅｍｐｏｒａｒｙ  Ｆｌｏｗ  Ｉｄｅｎｔｉｆｉｅｒ（ＴＦＩ）である、請求項３に記載の方法。
【請求項５】
前記第１の確認応答メッセージが、各々のアドレス指定されたワイヤレス通信デバイスのためのＡｃｋ／Ｎａｃｋ情報を備える、請求項１に記載の方法。
【請求項６】
前記第１の確認応答メッセージが、前記デバイス確認応答メッセージが前記複数のワイヤレス通信デバイスによって送信されるべきであることを示す、請求項１に記載の方法。
【請求項７】
前記第１の確認応答メッセージが少なくとも１つの確認応答グループを示し、各確認応答グループが、グループのワイヤレス通信デバイスがそれらのデバイス確認応答メッセージを送信すべき共通の時間間隔を割り当てられた、前記ワイヤレス通信デバイスの前記グループを備える、請求項１に記載の方法。
【請求項８】
前記共通の時間間隔が、１つまたは複数のフレームを備える相対予約ブロック期間である、請求項７に記載の方法。
【請求項９】
前記第１の確認応答メッセージが、前記第１の確認応答メッセージが送信された第１の時間間隔を示し、前記第１の確認応答メッセージが、前記複数のワイヤレス通信デバイスのすべてと関連付けられる基本的な相対予約ブロック期間を示し、前記１つまたは複数のフレームに追加するフレームの数を示す、請求項８に記載の方法。
【請求項１０】
下記を備える、複数のワイヤレス通信デバイスから確認応答を受信するための装置、
前記複数のワイヤレス通信デバイスに宛てられる第１の確認応答メッセージを送信するための手段であって、前記第１の確認応答メッセージが、前記ワイヤレス通信デバイスがデバイス確認応答メッセージを送信すべき期間を各ワイヤレス通信デバイスに対して示す、手段と、
前記ワイヤレス通信デバイスに対して示された、そのデバイス確認応答メッセージを送信するための前記期間内に送信されたデバイス確認応答メッセージを、前記複数のワイヤレス通信デバイスの各々から受信するための手段。
【請求項１１】
前記複数のワイヤレス通信デバイスの各々をアドレス指定する単一の確認応答メッセージの形式で前記第１の確認応答メッセージを生成するための手段をさらに備え、前記第１の確認応答メッセージを送信することが、前記複数のワイヤレス通信デバイスによる受信のために前記単一の確認応答メッセージを送信することを備える、請求項１０に記載の装置。
【請求項１２】
前記単一の確認応答メッセージが、前記単一の確認応答メッセージによってアドレス指定される前記複数のワイヤレス通信デバイスのアドレスのリストを備え、アドレスの前記リスト内の相対的な位置が、前記ワイヤレス通信デバイスがそのデバイス確認応答メッセージを送信すべき前記期間を示すものである、請求項１１に記載の装置。
【請求項１３】
アドレスの前記リストの中の各ワイヤレス通信デバイスのアドレスが、Ｔｅｍｐｏｒａｒｙ  Ｆｌｏｗ  Ｉｄｅｎｔｉｆｉｅｒ（ＴＦＩ）である、請求項１２に記載の装置。
【請求項１４】
前記第１の確認応答メッセージが、各々のアドレス指定されたワイヤレス通信デバイスのためのＡｃｋ／Ｎａｃｋ情報を備える、請求項１０に記載の装置。
【請求項１５】
前記第１の確認応答メッセージが、前記デバイス確認応答メッセージが前記複数のワイヤレス通信デバイスによって送信されるべきであることを示す、請求項１０に記載の装置。
【請求項１６】
前記第１の確認応答メッセージが少なくとも１つの確認応答グループを示し、各確認応答グループが、グループのワイヤレス通信デバイスがそれらのデバイス確認応答メッセージを送信すべき共通の時間間隔を割り当てられた、前記ワイヤレス通信デバイスの前記グループを備える、請求項１０に記載の装置。
【請求項１７】
前記共通の時間間隔が、１つまたは複数のフレームを備える相対予約ブロック期間である、請求項１６に記載の装置。
【請求項１８】
前記第１の確認応答メッセージが、前記第１の確認応答メッセージが送信された第１の時間間隔を示し、前記第１の確認応答メッセージが、前記複数のワイヤレス通信デバイスのすべてと関連付けられる基本的な相対予約ブロック期間を示し、前記１つまたは複数のフレームに追加するフレームの数を示す、請求項１７に記載の装置。
【請求項１９】
命令を有する非一時的コンピュータ可読記憶媒体であって、前記命令は下記を備える、
基地局に、複数のワイヤレス通信デバイスに宛てられる第１の確認応答メッセージを送信させるためのコードであって、前記第１の確認応答メッセージが、前記ワイヤレス通信デバイスがデバイス確認応答メッセージを送信すべき期間を各ワイヤレス通信デバイスに対して示す、コードと、
前記基地局に、前記ワイヤレス通信デバイスに対して示された、そのデバイス確認応答メッセージを送信するための前記期間内に送信されたデバイス確認応答メッセージを、前記複数のワイヤレス通信デバイスの各々から受信させるためのコード。
【請求項２０】
下記を備える、ワイヤレス通信デバイスからデバイス確認応答を送信するための方法、
複数のワイヤレス通信デバイスに宛てられた第１の確認応答メッセージを基地局から受信することと、
前記第１の確認応答メッセージから前記ワイヤレス通信デバイスと関連付けられる期間を決定することと、
前記期間内にデバイス確認応答メッセージを送信すること。
【請求項２１】
前記期間を決定することが、前記複数のワイヤレス通信デバイスの他のデバイスではなく前記ワイヤレス通信デバイスに向けられる、前記第１の確認応答メッセージの部分を決定することを備える、請求項２０に記載の方法。
【請求項２２】
前記第１の確認応答メッセージが、前記第１の確認応答メッセージによってアドレス指定された前記複数のワイヤレス通信デバイスのアドレスのリストを備え、前記期間を決定することが、前記ワイヤレス通信デバイスのアドレスの、アドレスの前記リスト内の相対的な位置を決定することを備え、前記期間が、前記相対的な位置に基づいて決定される、請求項２０に記載の方法。
【請求項２３】
アドレスの前記リストの中の前記ワイヤレス通信デバイスのアドレスが、Ｔｅｍｐｏｒａｒｙ  Ｆｌｏｗ  Ｉｄｅｎｔｉｆｉｅｒ（ＴＦＩ）である、請求項２２に記載の方法。
【請求項２４】
前記第１の確認応答メッセージが、前記複数のワイヤレス通信デバイスの各々のためのＡｃｋ／Ｎａｃｋ情報を備える、請求項２０に記載の方法。
【請求項２５】
前記第１の確認応答メッセージから、前記デバイス確認応答メッセージが前記期間内に送信されるべきであることを決定することをさらに備える、請求項２０に記載の方法。
【請求項２６】
前記第１の確認応答メッセージが、デバイス確認応答メッセージを送信すべき共通の時間間隔を割り当てられたワイヤレス通信デバイスのグループを備える少なくとも１つの確認応答グループを示す、請求項２０に記載の方法であって、前記方法は、前記ワイヤレス通信デバイスに割り当てられた前記共通の時間間隔に基づいて、確認応答グループの中のワイヤレス通信デバイスのメンバーシップを判定することをさらに備え、前記デバイス確認応答メッセージを送信することが、前記ワイヤレス通信デバイスに割り当てられた前記共通の時間間隔内に前記デバイス確認応答メッセージを送信することを備える。
【請求項２７】
前記共通の時間間隔が相対予約ブロック期間であり、前記期間が１つまたは複数のフレームを備える、請求項２６に記載の方法。
【請求項２８】
前記期間を決定することが、前記ワイヤレス通信デバイスがメンバーである前記確認応答グループのメンバーである他のワイヤレス通信デバイスのアドレスの位置に対する、アドレスの前記リスト内での前記ワイヤレス通信デバイスのアドレスの相対的な位置に基づいて、前記ワイヤレス通信デバイスに割り当てられる前記共通の時間間隔内の少なくとも１つのフレームとして、前記期間を決定することを備える、請求項２６に記載の方法。
【請求項２９】
前記第１の確認応答メッセージが、前記第１の確認応答メッセージが送信された第１の時間間隔と、前記複数のデバイスのすべてと関連付けられる第２の時間間隔とを示し、前記期間を前記決定することが、前記第１の時間間隔および前記第２の時間間隔に基づく、請求項２６に記載の方法。
【請求項３０】
前記第１の時間間隔が、前記第１の確認応答メッセージを備える無線ブロックの第１のフレームであり、前記第２の時間間隔が、基本的な相対予約ブロック期間である、請求項２９に記載の方法。
【請求項３１】
前記期間を決定することが、前記第１の確認応答メッセージによってアドレス指定される１つまたは複数の他のワイヤレス通信デバイスによってデバイス確認応答メッセージのために使用されるフレームの数を決定することを備える、請求項２０に記載の方法。
【請求項３２】
下記を備える、デバイス確認応答を送信するためのワイヤレス通信デバイス、
複数のワイヤレス通信デバイスに宛てられた第１の確認応答メッセージを基地局から受信するための手段と、
前記第１の確認応答メッセージから前記ワイヤレス通信デバイスと関連付けられる期間を決定するための手段と、
前記期間内にデバイス確認応答メッセージを送信するための手段。
【請求項３３】
前記期間を決定するための前記手段が、前記複数のワイヤレス通信デバイスの他のデバイスではなく前記ワイヤレス通信デバイスに向けられる、前記第１の確認応答メッセージの部分を決定するための手段を備える、請求項３２に記載のワイヤレス通信デバイス。
【請求項３４】
前記第１の確認応答メッセージが、前記第１の確認応答メッセージによってアドレス指定された前記複数のワイヤレス通信デバイスのアドレスのリストを備え、前記期間を決定するための前記手段が、前記ワイヤレス通信デバイスのアドレスの、アドレスの前記リスト内の相対的な位置を決定するための手段を備え、前記期間が、前記相対的な位置に基づいて決定される、請求項３２に記載のワイヤレス通信デバイス。
【請求項３５】
アドレスの前記リストの中の前記ワイヤレス通信デバイスの前記アドレスが、Ｔｅｍｐｏｒａｒｙ  Ｆｌｏｗ  Ｉｄｅｎｔｉｆｉｅｒ（ＴＦＩ）である、請求項３４に記載のワイヤレス通信デバイス。
【請求項３６】
前記第１の確認応答メッセージが、前記複数のワイヤレス通信デバイスの各々のためのＡｃｋ／Ｎａｃｋ情報を備える、請求項３２に記載のワイヤレス通信デバイス。
【請求項３７】
前記第１の確認応答メッセージから、前記デバイス確認応答メッセージが前記期間内に送信されるべきであることを決定するための手段をさらに備える、請求項３２に記載のワイヤレス通信デバイス。
【請求項３８】
前記第１の確認応答メッセージが、デバイス確認応答メッセージを送信すべき共通の時間間隔を割り当てられたワイヤレス通信デバイスのグループを備える少なくとも１つの確認応答グループを示す、請求項３２に記載のワイヤレス通信デバイスであって、前記ワイヤレス通信デバイスは、前記ワイヤレス通信デバイスに割り当てられた前記共通の時間間隔に基づいて、確認応答グループの中の前記ワイヤレス通信デバイスのメンバーシップを判定するための手段をさらに備え、前記デバイス確認応答メッセージを送信するための前記手段が、前記ワイヤレス通信デバイスに割り当てられた前記共通の時間間隔内に前記デバイス確認応答メッセージを送信するための手段を備える。
【請求項３９】
前記共通の時間間隔が相対予約ブロック期間であり、前記期間が１つまたは複数のフレームを備える、請求項３８に記載の装置。
【請求項４０】
前記期間を決定するための前記手段が、前記確認応答グループのメンバーである他のワイヤレス通信デバイスのアドレスの位置に対する、前記複数のワイヤレス通信デバイスのアドレスのリスト内での前記ワイヤレス通信デバイスのアドレスの相対的な位置に基づいて、前記ワイヤレス通信デバイスに割り当てられる前記共通の時間間隔内の少なくとも１つのフレームとして、前記期間を決定するための手段を備える、請求項３８に記載の装置。
【請求項４１】
前記第１の確認応答メッセージが、前記第１の確認応答メッセージが送信された第１の時間間隔と、前記複数のデバイスのすべてと関連付けられる第２の時間間隔とを示し、前記期間の前記決定が、前記第１の時間間隔および前記第２の時間間隔に基づく、請求項３８に記載の装置。
【請求項４２】
前記第１の時間間隔が、前記第１の確認応答メッセージを備える無線ブロックの第１のフレームであり、前記第２の時間間隔が、基本的な相対予約ブロック期間である、請求項４１に記載の装置。
【請求項４３】
前記期間を決定するための前記手段が、前記第１の確認応答メッセージによってアドレス指定される１つまたは複数の他のワイヤレス通信デバイスによってデバイス確認応答メッセージのために使用されるフレームの数を決定するための手段を備える、請求項３２に記載の装置。
【請求項４４】
命令を有する非一時的コンピュータ可読記憶媒体であって、前記命令は下記を備える、
複数のワイヤレス通信デバイスに宛てられた第１の確認応答メッセージを、前記ワイヤレス通信デバイスに、基地局から受信させるためのコードと、
前記ワイヤレス通信デバイスに、前記第１の確認応答メッセージから前記ワイヤレス通信デバイスと関連付けられる期間を決定させるためのコードと、
前記ワイヤレス通信デバイスに、前記期間内にデバイス確認応答メッセージを送信させるためのコード。
【請求項４５】
下記を備える、複数のワイヤレス通信デバイスへ確認応答を送信するための方法、
単一の確認応答メッセージを生成することと、ここにおいて前記単一の確認応答メッセージが、基地局が複数のワイヤレス通信デバイスをアドレス指定することを可能にし、かつその期間内に前記複数のワイヤレス通信デバイスの各々がデバイス確認応答メッセージを前記基地局へ送信すべきである期間を示す、
前記単一の確認応答メッセージを、前記複数のワイヤレス通信デバイスへ送信すること。
【請求項４６】
前記複数のワイヤレスデバイスから無線リンク制御メッセージを受信することをさらに備える、請求項４５に記載の方法。
【請求項４７】
前記確認応答メッセージが、各ワイヤレス通信デバイスのための一時的なフローアイデンティティを備える、請求項４５に記載の方法。
【請求項４８】
前記確認応答メッセージが、アドレス指定されたワイヤレス通信デバイスのための相対予約ブロック期間を備える、請求項４５に記載の方法。
【請求項４９】
前記確認応答メッセージがパケットアップリンクＡＣＫ／ＮＡＣＫである、請求項４５に記載の方法。
【請求項５０】
前記確認応答メッセージ内での相対予約ブロック期間の情報の存在が、対応する一時的なフローアイデンティティによってアドレス指定される前記ワイヤレス通信デバイスがパケット制御確認応答についてポーリングされることを示唆する、請求項４８に記載の方法。
【請求項５１】
前記確認応答メッセージのヘッダ中のＥＳ／Ｐフィールドが使用されない、請求項５０に記載の方法。
【請求項５２】
前記確認応答メッセージが、最終的な確認応答を受信していない各ワイヤレス通信デバイスのための、可変長確認応答ビットマップを備える、請求項４５に記載の方法。
【請求項５３】
前記確認応答メッセージが、一部のワイヤレス通信デバイスのための最終的な確認応答と、他のワイヤレス通信デバイスのための可変長確認応答ビットマップとの組合せを備える、請求項４５に記載の方法。
【請求項５４】
前記相対予約ブロック期間のビットの数が、２ビットを超えて拡張される、請求項４８に記載の方法。
【請求項５５】
前記方法が基地局によって実行される、請求項４５に記載の方法。
【請求項５６】
各ワイヤレス通信デバイスのための受信された無線リンク制御メッセージが、前記ワイヤレス通信デバイスによって送られたすべての無線リンク制御データブロックを備えるかどうかを判定することをさらに備える、請求項４５に記載の方法。
【請求項５７】
下記を備える、ワイヤレス通信デバイスによって確認応答を受信するための方法、
基地局から確認応答メッセージを受信することと、ここにおいて前記確認応答メッセージが、その期間内に複数のワイヤレス通信デバイスの各々がデバイス確認応答メッセージを前記基地局へ送信すべきである期間を示す、
前記ワイヤレス通信デバイスに対応する前記確認応答メッセージの部分を決定すること。
【請求項５８】
前記ワイヤレス通信デバイスに対応する前記確認応答メッセージの前記部分が、最終的な確認応答か、または可変長確認応答ビットマップかを判定することをさらに備える、請求項５７に記載の方法。
【請求項５９】
前記ワイヤレス通信デバイスに対応する前記確認応答メッセージの前記部分が最終的な確認応答であり、前記ワイヤレス通信デバイスが、前記ワイヤレス通信デバイスによって前記基地局へ送られた無線リンク制御データブロックを前記基地局が受信に成功したことを認識する、請求項５８に記載の方法。
【請求項６０】
前記ワイヤレス通信デバイスに対応する前記確認応答メッセージの前記部分が可変長確認応答ビットマップであり、前記基地局へ再び送るための１つまたは複数の無線リンク制御データブロックを決定することをさらに備える、請求項５８に記載の方法。
【請求項６１】
前記決定された１つまたは複数の無線リンク制御データブロックを前記基地局へ送ることをさらに備える、請求項６０に記載の方法。
【請求項６２】
１つまたは複数の無線リンク制御データブロックを前記基地局へ送ることをさらに備える、請求項５７に記載の方法。
【請求項６３】
前記確認応答メッセージが、前記基地局が複数のワイヤレス通信デバイスをアドレス指定することを可能にする、請求項５７に記載の方法。
【請求項６４】
前記確認応答メッセージが、各ワイヤレス通信デバイスのための一時的なフローアイデンティティを備える、請求項５７に記載の方法。
【請求項６５】
前記確認応答メッセージが、前記基地局によってアドレス指定されたワイヤレス通信デバイスのための相対予約ブロック期間を備える、請求項５７に記載の方法。
【請求項６６】
前記確認応答メッセージがパケットアップリンクＡＣＫ／ＮＡＣＫである、請求項５７に記載の方法。
【請求項６７】
下記を備える、複数のワイヤレス通信デバイスへ確認応答を送信するための装置、
プロセッサと、
前記プロセッサと電子通信するメモリと、
前記メモリに記憶された命令であって、前記命令が、前記プロセッサによって、
単一の確認応答メッセージを生成するように、ここにおいて前記単一の確認応答メッセージが、基地局が複数のワイヤレス通信デバイスをアドレス指定することを可能にし、かつその期間内に前記複数のワイヤレス通信デバイスの各々がデバイス確認応答メッセージを前記基地局へ送信すべきである期間を示す、および
前記単一の確認応答メッセージを、前記複数のワイヤレス通信デバイスへ送信するように、
実行可能である。
【請求項６８】
下記を備える、基地局から確認応答を受信するための装置、
プロセッサと、
前記プロセッサと電子通信するメモリと、
前記メモリに記憶された命令であって、前記命令が、前記プロセッサによって、
前記基地局から確認応答メッセージを受信するように、ここにおいて前記確認応答メッセージが、その期間内に複数のワイヤレス通信デバイスの各々がデバイス確認応答メッセージを前記基地局へ送信すべきである期間を示す、および
前記装置に対応する前記確認応答メッセージの部分を決定するように、
実行可能である。
【請求項６９】
下記を備える、複数のワイヤレス通信デバイスへ確認応答を送信するためのワイヤレスデバイス、
単一の確認応答メッセージを生成するための手段と、ここにおいて前記単一の確認応答メッセージが、基地局が複数のワイヤレス通信デバイスをアドレス指定することを可能にし、かつその期間内に前記複数のワイヤレス通信デバイスの各々がデバイス確認応答メッセージを前記基地局へ送信すべきである期間を示す、
前記単一の確認応答メッセージを、前記複数のワイヤレス通信デバイスへ送るための手段。
【請求項７０】
下記を備える、基地局から確認応答を受信するためのワイヤレスデバイス、
前記基地局から確認応答メッセージを受信するための手段と、ここにおいて前記確認応答メッセージが、その期間内に複数のワイヤレス通信デバイスの各々がデバイス確認応答メッセージを前記基地局へ送信すべきである期間を示す、
前記ワイヤレスデバイスに対応する前記確認応答メッセージの部分を決定するための手段。
【請求項７１】
命令を有する非一時的コンピュータ可読記憶媒体であって、前記命令は下記を備える、
基地局に、単一の確認応答メッセージを生成させるためのコードと、ここにおいて前記単一の確認応答メッセージが、基地局が複数のワイヤレス通信デバイスをアドレス指定することを可能にし、かつその期間内に前記複数のワイヤレス通信デバイスの各々がデバイス確認応答メッセージを前記基地局へ送信すべきである期間を示す、
前記基地局に、前記単一の確認応答メッセージを前記複数のワイヤレス通信デバイスへ送らせるためのコード。
【請求項７２】
命令を有する非一時的コンピュータ可読記憶媒体であって、前記命令は下記を備える、
ワイヤレス通信デバイスに、基地局から確認応答メッセージを受信させるためのコードと、ここにおいて前記確認応答メッセージが、その期間内に複数のワイヤレス通信デバイスの各々がデバイス確認応答メッセージを前記基地局へ送信すべきである期間を示す、
前記ワイヤレス通信デバイスに、前記ワイヤレス通信デバイスに対応する前記確認応答メッセージの部分を決定させるためのコード。
【発明の詳細な説明】
【関連出願および優先権の主張】
【０００１】
本出願は、（ａ）「ＰＬＵＲＡＬ  ＷＩＲＥＬＥＳＳ  ＣＯＭＭＵＮＩＣＡＴＩＯＮ  ＤＥＶＩＣＥ  ＡＣＫＮＯＷＬＥＤＧＥＭＥＮＴＳ」という、２０１１年７月１２日に出願された米国仮特許出願第６１／５０７，０５５号と、（ｂ）「ＳＥＮＤＩＮＧ  ＡＣＫＮＯＷＬＥＤＧＥＭＥＮＴ  ＴＯ  ＭＵＬＴＩＰＬＥ  ＭＯＢＩＬＥ  ＳＴＡＴＩＯＮＳ  ＷＩＴＨＩＮ  ＯＮＥ  ＭＥＳＳＡＧＥ」という、２０１１年２月１日に出願された米国仮特許出願第６１／４３８，６３９号と、（ｃ）Ｗｉｒｅｌｅｓｓ  Ｔｅｒｍｉｎａｌ  Ｗａｉｔ  Ｓｔａｔｅ  Ｏｖｅｒｒｉｄｅという、２０１１年７月２１日に出願された米国仮特許出願第６１／５１０，２７８号とに関し、これらの利益を主張し、これらに対する優先権を主張する。前記出願のすべてが、本明細書において以下で全体が完全に説明されるかのように、参照によって本明細書に組み込まれる。
【技術分野】
【０００２】
本開示は、全般に通信システムに関する。より具体的には、本開示は、複数のワイヤレス通信デバイスの確認応答のためのシステムおよび方法に関する。
【背景技術】
【０００３】
ワイヤレス通信システムは、世界中の多くの人々が通信するための重要な手段になっている。ワイヤレス通信システムは、いくつかの加入者局のための通信を提供することができ、それらの各々は基地局によってサービスされ得る。
【０００４】
加入者局の潜在的な使用法は、劇的に増えている。たとえば、マシンツーマシン（Ｍ２Ｍ）デバイスの導入によって、ワイヤレスリンクは、従来はワイヤレスにアクセスされなかった機械との対話を可能にするために使用され得る。これは、家電製品、照明、暖房、貯蔵庫、および自動車のような、多種多様な異なる電子デバイスを含む。（制御と使用データ取得とのいずれかのために）ワイヤレスにアクセスされる電子デバイスの数が増えるに従って、ある地理的なエリアで通信する加入者局の数も増え得る。そのような増加は、基地局の過負荷につながり得る。加入者局が基地局に過負荷をかけるのを防ぐことによって、利益が実現され得る。
【発明の概要】
【０００５】
複数のワイヤレス通信デバイスから確認応答を受信するための方法が、説明される。複数のワイヤレス通信デバイスへ宛てられた、第１の確認応答メッセージが送信される。第１の確認応答メッセージは、ワイヤレス通信デバイスがデバイス確認応答メッセージを送信すべき期間を、各ワイヤレス通信デバイスに対して示す。デバイス確認応答メッセージは、複数のワイヤレス通信デバイスの各々から受信される。デバイス確認応答メッセージは、そのワイヤレス通信デバイスに対して示された、デバイス確認応答メッセージを送信するための期間内に送信された。
【０００６】
第１の確認応答メッセージは、複数のワイヤレス通信デバイスの各々をアドレス指定する単一の確認応答メッセージの形式で、生成され得る。第１の確認応答メッセージを送信することは、複数のワイヤレス通信デバイスによる受信のために、単一の確認応答メッセージを送信することを含み得る。単一の確認応答メッセージは、単一の確認応答メッセージによってアドレス指定される、複数のワイヤレス通信デバイスのアドレスのリストを含み得る。アドレスのリスト内での相対的な位置は、ワイヤレス通信デバイスがそのデバイス確認応答メッセージを送信すべき期間を示すものであり得る。
【０００７】
アドレスのリストの中の各ワイヤレス通信デバイスのアドレスは、Ｔｅｍｐｏｒａｒｙ  Ｆｌｏｗ  Ｉｄｅｎｔｉｆｉｅｒ（ＴＦＩ）であってよい。第１の確認応答メッセージは、各々のアドレス指定されたワイヤレス通信デバイスのＡｃｋ／Ｎａｃｋ情報を含み得る。第１の確認応答メッセージは、デバイス確認応答メッセージが複数のワイヤレス通信デバイスによって送信されるべきであることを、示すことができる。
【０００８】
第１の確認応答メッセージはまた、少なくとも１つの確認応答グループを示し得る。各確認応答グループは、グループのワイヤレス通信デバイスがそれらのデバイス確認応答メッセージを送信すべき共通の時間間隔を割り当てられた、ワイヤレス通信デバイスのグループを含み得る。共通の時間間隔は、１つまたは複数のフレームを含む、相対予約ブロック期間であってよい。第１の確認応答メッセージは、第１の確認応答メッセージが送信された第１の時間間隔を示し得る。第１の確認応答メッセージはまた、複数のワイヤレス通信デバイスのすべてと関連付けられ１つまたは複数のフレームに追加するフレームの数を示す、基本的な相対予約ブロック期間を示し得る。
【０００９】
複数のワイヤレス通信デバイスから確認応答を受信するための装置も、説明される。装置は、複数のワイヤレス通信デバイスに宛てられた第１の確認応答メッセージを送信するための手段を含む。第１の確認応答メッセージは、ワイヤレス通信デバイスがデバイス確認応答メッセージを送信すべき期間を、各ワイヤレス通信デバイスに対して示す。装置はまた、そのワイヤレス通信デバイスに対して示された、デバイス確認応答メッセージを送信するための期間内に送信されたデバイス確認応答メッセージを、複数のワイヤレス通信デバイスの各々から受信するための手段を含む。
【００１０】
複数のワイヤレス通信デバイスから確認応答を受信するためのコンピュータプログラム製品が、説明される。コンピュータプログラム製品は、命令をその上に有する非一時的コンピュータ可読媒体を含む。命令は、基地局に、複数のワイヤレス通信デバイスに宛てられた第１の確認応答メッセージを送信させるためのコードを含む。第１の確認応答メッセージは、ワイヤレス通信デバイスがデバイス確認応答メッセージを送信すべき期間を、各ワイヤレス通信デバイスに対して示す。命令はまた、そのワイヤレス通信デバイスに対して示された、デバイス確認応答メッセージを送信するための期間内に送信されたデバイス確認応答メッセージを、基地局に、複数のワイヤレス通信デバイスの各々から受信させるためのコードを含む。
【００１１】
ワイヤレス通信デバイスからデバイス確認応答を送信するための方法が、説明される。複数のワイヤレス通信デバイスに宛てられた第１の確認応答メッセージが、基地局から受信される。そのワイヤレス通信デバイスと関連付けられる期間は、第１の確認応答メッセージから決定される。デバイス確認応答メッセージは、その期間内に送信される。
【００１２】
その期間を決定することは、複数のワイヤレス通信デバイスの他のデバイスではなくそのワイヤレス通信デバイスに向けられる、第１の確認応答メッセージの部分を決定することを含み得る。第１の確認応答メッセージは、第１の確認応答メッセージによってアドレス指定される、複数のワイヤレス通信デバイスのアドレスのリストを含み得る。期間を決定することは、ワイヤレス通信デバイスのアドレスの、アドレスのリスト内での相対的な位置を決定することを含み得る。この期間は、相対的な位置に基づいて決定され得る。
【００１３】
アドレスのリストの中のワイヤレス通信デバイスのアドレスは、Ｔｅｍｐｏｒａｒｙ  Ｆｌｏｗ  Ｉｄｅｎｔｉｆｉｅｒ（ＴＦＩ）であってよい。第１の確認応答メッセージは、複数のワイヤレス通信デバイスの各々のＡｃｋ／Ｎａｃｋ情報を含み得る。第１の確認応答メッセージから、デバイス確認応答メッセージがその期間内に送信されるべきであることが決定され得る。
【００１４】
第１の確認応答メッセージは、デバイス確認応答メッセージを送信すべき共通の時間間隔を割り当てられたワイヤレス通信デバイスのグループを含む、少なくとも１つの確認応答グループを示し得る。確認応答グループにおけるワイヤレス通信デバイスのメンバーシップは、ワイヤレス通信デバイスに割り当てられた共通の時間間隔に基づいて決定され得る。デバイス確認応答メッセージを送信することは、ワイヤレス通信デバイスに割り当てられた共通の時間間隔内で、デバイス確認応答メッセージを送信することを含み得る。
【００１５】
共通の時間間隔は、１つまたは複数のフレームを含む、相対予約ブロック期間であってよい。期間を決定することは、ワイヤレス通信デバイスがメンバーである確認応答グループのメンバーである他のワイヤレス通信デバイスのアドレスの位置に対する、アドレスのリスト内でのワイヤレス通信デバイスのアドレスの相対的な位置に基づいて、ワイヤレス通信デバイスに割り当てられる、共通の時間間隔内の少なくとも１つのフレームとして、期間を決定することを含み得る。
【００１６】
第１の確認応答メッセージは、第１の確認応答メッセージが送信された第１の時間間隔と、複数のデバイスのすべてと関連付けられる第２の時間間隔とを示し得る。期間を決定することは、第１の時間間隔および第２の時間間隔に基づいてよい。第１の時間間隔は、第１の確認応答メッセージを含む無線ブロックの第１のフレームであってよい。第２の時間間隔は、基本的な相対予約ブロック期間であってよい。期間を決定することは、第１の確認応答メッセージによってアドレス指定される１つまたは複数の他のワイヤレス通信デバイスによって、デバイス確認応答メッセージのために使用されるフレームの数を決定することを含み得る。
【００１７】
デバイス確認応答を送信するためのワイヤレス通信デバイスが、説明される。ワイヤレス通信デバイスは、複数のワイヤレス通信デバイスに宛てられた第１の確認応答メッセージを、基地局から受信するための手段を含む。ワイヤレス通信デバイスはまた、第１の確認応答メッセージから、ワイヤレス通信デバイスと関連付けられる期間を決定するための手段を含む。ワイヤレス通信デバイスはさらに、期間内にデバイス確認応答メッセージを送信するための手段を含む。
【００１８】
ワイヤレス通信デバイスから確認応答を送信するためのコンピュータプログラム製品も、説明される。コンピュータプログラム製品は、命令をその上に有する非一時的コンピュータ可読媒体を含む。命令は、複数のワイヤレス通信デバイスに宛てられた第１の確認応答メッセージを、ワイヤレス通信デバイスに、基地局から受信させるためのコードを含む。命令はまた、ワイヤレス通信デバイスに、第１の確認応答メッセージからワイヤレス通信デバイスと関連付けられる期間を決定させるためのコードを含む。命令はさらに、ワイヤレス通信デバイスに、その期間内にデバイス確認応答メッセージを送信させるためのコードを含む。
【００１９】
複数のワイヤレス通信デバイスへ確認応答を送信するための方法が、説明される。単一の確認応答メッセージが、生成される。単一の確認応答メッセージは、基地局が、複数のワイヤレス通信デバイスをアドレス指定することを可能にする。単一の確認応答メッセージは、複数のワイヤレス通信デバイスへ送られる。
【００２０】
無線リンク制御メッセージが、複数のワイヤレス通信デバイスから受信され得る。確認応答メッセージは、各ワイヤレス通信デバイスの一時的なフローアイデンティティを含み得る。確認応答メッセージはまた、アドレス指定されたワイヤレス通信デバイスの相対予約ブロック期間を含み得る。確認応答メッセージは、パケットアップリンクＡＣＫ／ＮＡＣＫであってよい。
【００２１】
確認応答メッセージ内での相対予約ブロック期間の情報の存在は、対応する一時的なフローアイデンティティによってアドレス指定されるワイヤレス通信デバイスが、パケット制御確認応答についてポーリングされることを示唆し得る。確認応答メッセージのヘッダの中のＥＳ／Ｐフィールドは、使用されなくてよい。確認応答メッセージは、最終的な確認応答を受信していない各ワイヤレス通信デバイスのための、可変長確認応答ビットマップを含み得る。
【００２２】
確認応答メッセージは、いくつかのワイヤレス通信デバイスのための最終的な確認応答と、他のワイヤレス通信デバイスのための可変長確認応答ビットマップとの組合せを含み得る。相対予約ブロック期間のビットの数は、２ビットを超えるように拡張され得る。この方法は、基地局によって実行され得る。各ワイヤレス通信デバイスのための受信された無線リンク制御メッセージが、ワイヤレス通信デバイスによって送られたすべての無線リンク制御データを含むかどうかが、さらに判定され得る。
【００２３】
ワイヤレス通信デバイスによって確認応答を受信するための方法も、説明される。確認応答メッセージは、基地局から受信される。ワイヤレス通信デバイスに対応する確認応答メッセージの部分が、決定される。ワイヤレス通信デバイスに対応する確認応答メッセージの部分が、最終的な確認応答か、または可変長確認応答ビットマップかが判定される。
【００２４】
ワイヤレス通信デバイスに対応する確認応答メッセージの部分は、最終的な確認応答であることがある。ワイヤレス通信デバイスは、ワイヤレス通信デバイスによって基地局へ送られた無線リンク制御データブロックを基地局が受信するのに成功したことを、認識し得る。
【００２５】
ワイヤレス通信デバイスに対応する確認応答メッセージの部分は、可変長確認応答ビットマップであることがある。基地局へ再び送るべき、１つまたは複数の無線リンク制御データブロックが決定され得る。決定された１つまたは複数の無線リンク制御データブロックは、基地局へ送信され得る。確認応答メッセージは、基地局が、複数のワイヤレス通信デバイスをアドレス指定することを可能にし得る。確認応答メッセージは、各ワイヤレス通信デバイスの一時的なフローアイデンティティを含み得る。確認応答メッセージは、基地局によってアドレス指定されたワイヤレス通信デバイスのための、相対予約ブロック期間を含み得る。確認応答メッセージは、パケットアップリンクＡＣＫ／ＮＡＣＫであってよい。
【００２６】
複数のワイヤレス通信デバイスへ確認応答を送信するための装置が、説明される。本装置は、プロセッサと、プロセッサと電子通信するメモリと、メモリに記憶された命令とを含む。命令は、単一の確認応答メッセージを生成するように、プロセッサによって実行可能である。単一の確認応答メッセージは、基地局が、複数のワイヤレス通信デバイスをアドレス指定することを可能にする。命令はまた、単一の確認応答メッセージを複数のワイヤレス通信デバイスへ送るように、プロセッサによって実行可能である。
【００２７】
基地局から確認応答を受信するための装置も、説明される。この装置は、プロセッサと、プロセッサと電子通信するメモリと、メモリに記憶された命令とを含む。命令は、基地局から確認応答メッセージを受信するように、プロセッサによって実行可能である。命令はまた、装置に対応する確認応答メッセージの部分を決定するように、プロセッサによって実行可能である。
【００２８】
複数のワイヤレス通信デバイスへ確認応答を送信するためのワイヤレスデバイスが、説明される。ワイヤレスデバイスは、単一の確認応答メッセージを生成するための手段を含む。単一の確認応答メッセージは、基地局が、複数のワイヤレス通信デバイスをアドレス指定することを可能にする。ワイヤレスデバイスはまた、単一の確認応答メッセージを複数のワイヤレス通信デバイスへ送るための手段も含む。
【００２９】
基地局から確認応答を受信するためのワイヤレスデバイスも、説明される。ワイヤレスデバイスは、基地局から確認応答メッセージを受信するための手段を含む。ワイヤレスデバイスはまた、ワイヤレスデバイスに対応する確認応答メッセージの部分を決定するための手段を含む。
【００３０】
複数のワイヤレス通信デバイスへ確認応答を送信するためのコンピュータプログラム製品が、説明される。コンピュータプログラム製品は、命令をその上に有する非一時的コンピュータ可読媒体を含む。命令は、複数のワイヤレス通信デバイスを基地局がアドレス指定するのを可能にする単一の確認応答メッセージを、基地局に生成させるための、コードを含む。命令はまた、基地局に、単一の確認応答メッセージを複数のワイヤレス通信デバイスへ送らせるための、コードを含む。
【００３１】
基地局から確認応答を受信するためのコンピュータプログラム製品が、説明される。コンピュータプログラム製品は、命令をその上に有する非一時的コンピュータ可読媒体を含む。命令は、ワイヤレス通信デバイスに、基地局から確認応答メッセージを受信させるためのコードを含む。命令はまた、ワイヤレス通信デバイスに、ワイヤレス通信デバイスに対応する確認応答メッセージの部分を決定させるためのコードを含む。
【図面の簡単な説明】
【００３２】
【図１】本明細書で開示される方法および装置が利用され得る、ワイヤレス通信システムの例を示す図。
【図２】ワイヤレス通信システム中の送信機および受信機のブロック図。
【図３】受信機における受信機ユニットおよび復調器の設計のブロック図。
【図４】ＧＳＭ（登録商標）における例示的なフレームおよびバーストフォーマットを示す図。
【図５】ＧＳＭシステムにおける例示的なスペクトルを示す図。
【図６】送信回路（電力増幅器を含む）と、受信回路と、電力制御器と、復号プロセッサと、信号の処理に使用する処理ユニットと、メモリとを含む、ワイヤレスデバイスの例を示す図。
【図７】送信機構造および／または処理の例を示す図。
【図８】基地局から複数のマシンタイプ通信（ＭＴＣ）デバイスへ送られる確認応答メッセージを示すブロック図。
【図９】単一の確認応答メッセージを使用して複数のマシンタイプ通信（ＭＴＣ）デバイスと通信するための方法の流れ図。
【図１０】複数のマシンタイプ通信（ＭＴＣ）デバイスに向けられる確認応答メッセージを受信するための方法の流れ図。
【図１１】基地局から複数のマシンタイプ通信（ＭＴＣ）デバイスへ送られる相対予約ブロック期間（ＲＲＢＰ）確認応答メッセージを示すブロック図。
【図１２】複数のマシンタイプ通信（ＭＴＣ）デバイスへの単一の相対予約ブロック期間（ＲＲＢＰ）確認応答メッセージの向上した送信の方法の流れ図。
【図１３】相対予約ブロック期間（ＲＲＢＰ）の間のマシンタイプ通信（ＭＴＣ）デバイスによるデバイス確認応答の送信を示すブロック図。
【図１４】基地局から複数のマシンタイプ通信（ＭＴＣ）デバイスへの復号された最終的な確認応答リストの送信を示すブロック図。
【図１５】第１の相対予約ブロック期間（ＲＲＢＰ）ＲＲＢＰAの間の、複数のマシンタイプ通信（ＭＴＣ）デバイスから基地局への、デバイス確認応答メッセージの送信を示すブロック図。
【図１６】第２の相対予約ブロック期間（ＲＲＢＰ）ＲＲＢＰA+1の間の、複数のマシンタイプ通信（ＭＴＣ）デバイスから基地局への、デバイス確認応答メッセージの送信を示すブロック図。
【図１７】第３の相対予約ブロック期間（ＲＲＢＰ）ＲＲＢＰA+2の間の、複数のマシンタイプ通信（ＭＴＣ）デバイスから基地局への、デバイス確認応答メッセージの送信を示すブロック図。
【図１８】第４の相対予約ブロック期間（ＲＲＢＰ）ＲＲＢＰA+3の間の、複数のマシンタイプ通信（ＭＴＣ）デバイスから基地局への、デバイス確認応答メッセージの送信を示すブロック図。
【図１９】第１のコーディングオプションを使用した、複数のワイヤレス通信デバイスによるデバイス確認応答メッセージの送信を示すブロック図。
【図２０】第２のコーディングオプションを使用した、複数のワイヤレス通信デバイスによるデバイス確認応答メッセージの送信を示す図。
【図２１】第２のコーディングオプションを使用した、複数のワイヤレス通信デバイスによるデバイス確認応答メッセージの送信を示す別のブロック図。
【図２２】第２のコーディングオプションを使用した、複数のワイヤレス通信デバイスによるデバイス確認応答メッセージの送信を示すさらに別のブロック図。
【図２３】基地局内に含まれ得るいくつかのコンポーネントを示す図。
【図２４】ワイヤレス通信デバイス内に含まれ得るいくつかのコンポーネントを示す図。
【詳細な説明】
【００３３】
より多くの人々が、音声だけではなくデータの通信のために、たとえば携帯電話のようなワイヤレス通信デバイスを使用している。遠隔通信ネットワークは、スマートフォンおよびモバイルコンピュータの帯域幅の要件の増大と、ネットワークへのアクセスを探索するデバイスおよびプログラムの数の増大との両方によって、より多くの制約の下に置かれている。たとえば、スマートフォン上で実行される多くのアプリケーションは、更新を確認するために定期的にネットワークにアクセスする。各アクセス自体は、比較的少量の帯域幅しか消費しないが、多くのこれらのアプリケーションを実行する多数のデバイスは、ネットワーク、および特にシグナリングチャネルと制御チャネルに対して、重大な負荷を課し得る。マシンタイプ通信（ＭＴＣ）デバイスのさらなる普及も同様に、ネットワークリソースに課される需要を増大させる。
【００３４】
図１は、本明細書で開示されるシステムおよび方法が利用され得る、ワイヤレス通信システム１００の例を示す。ワイヤレス通信システム１００は、複数の基地局（ＢＳ）１０２と複数のワイヤレス通信デバイス１０４とを含む。各基地局１０２は、特定の地理的エリア１０６に対して通信カバレッジを提供する。「セル」という用語は、この用語が使用される文脈に応じて、基地局１０２および／またはそのカバレッジエリア１０６を指し得る。
【００３５】
本明細書で使用される場合、「ワイヤレス通信デバイス」という用語は、ワイヤレス通信システムを介した音声および／またはデータ通信のために使用され得る、電子デバイスを指す。ワイヤレス通信デバイス１０４の例は、セルラー電話、携帯情報端末（ＰＤＡ）、ハンドヘルドデバイス、ワイヤレスモデム、ラップトップコンピュータ、パーソナルコンピュータ、マシンタイプ通信（ＭＴＣ）デバイス、マシンツーマシン（Ｍ２Ｍ）デバイス、およびセンサデバイス（たとえば、いわゆる「スマートメーター」、警報(alarms)および健康管理デバイスを含む）を含む。ワイヤレス通信デバイス１０４は、代替的に、アクセス端末、モバイル端末、移動局、リモート局、ユーザ端末、端末、加入者ユニット、加入者局、モバイルデバイス、ワイヤレスデバイス、ユーザ装置（ＵＥ）、ＭＴＣデバイスもしくはＭ２Ｍデバイス、または何らかの他の同様の用語で呼ばれることがある。ＭＴＣデバイスは、ＭＴＣデバイスで実現され得る利益を例示するために以下で広く使用されるが、利益は、他のワイヤレス通信デバイス１０４に対しても実現され得る。「基地局」という用語は、固定された位置に設置され、ワイヤレス通信デバイス１０４と通信するために使用される、ワイヤレス通信局を指す。基地局１０２は、代替的に、アクセスポイント（ナノセル、ピコセル、およびフェムトセルを含む）、ノードＢ、発展型ノードＢ、ホームノードＢ、または何らかの他の同様の用語で呼ばれることがある。
【００３６】
システム容量を改善するために、基地局カバレッジエリア１０６を複数のより小さなエリア、たとえば、３つのより小さなエリア１０８ａ、１０８ｂ、および１０８ｃに区分することができる。各々のより小さなエリア１０８ａ、１０８ｂ、１０８ｃは、それぞれの無線基地局装置（ＢＴＳ）によってサービスされ得る。「セクタ」という用語は、この用語が使用される文脈に応じてＢＴＳおよび／またはそのカバレッジエリア１０８を指し得る。セクタ化されたセルの場合、そのセルのすべてのセクタのＢＴＳは、一般に、そのセルの基地局１０２内に併設される。
【００３７】
ワイヤレス通信デバイス１０４は、一般に、ワイヤレス通信システム１００全体にわたって分散する。ワイヤレス通信デバイス１０４は、任意の所与の瞬間に、ダウンリンクおよび／またはアップリンクで、１つまたは複数の基地局１０２と通信し得る。ダウンリンク（または順方向リンク）は、基地局１０２からワイヤレス通信デバイス１０４への通信リンクを指し、アップリンク（または逆方向リンク）は、ワイヤレス通信デバイス１０４から基地局１０２への通信リンクを指す。アップリンクおよびダウンリンクは、通信リンクを、または通信リンクのために使用されるキャリアを指し得る。
【００３８】
集中型アーキテクチャの場合、システムコントローラ１１０は、基地局１０２に結合し得、基地局１０２の調整および制御を提供することができる。システムコントローラ１１０は、単一のネットワークエンティティまたはネットワークエンティティの集合であり得る。分散型アーキテクチャの場合、基地局１０２は、必要に応じて互いに通信し得る。
【００３９】
図２は、ワイヤレス通信システム１００中の送信機２７１および受信機２７３のブロック図を示す。ダウンリンクでは、送信機２７１は基地局１０２の一部であってよく、受信機２７３はワイヤレス通信デバイス１０４の一部であってよい。アップリンクでは、送信機２７１はワイヤレス通信デバイス１０４の一部であってよく、受信機２７３は基地局１０２の一部であってよい。
【００４０】
送信機２７１において、送信（ＴＸ）データプロセッサ２７５は、データ２３０を受信し、処理（たとえば、フォーマット、符号化、およびインターリーブ）し、符号化されたデータを提供する。変調器２１２は、符号化されたデータの変調を実行し、変調された信号を提供する。変調器２１２は、ＧＳＭではガウス型最小シフトキーイング（ＧＭＳＫ）を、Ｅｎｈａｎｃｅｄ  Ｄａｔａ  ｒａｔｅｓ  ｆｏｒ  Ｇｌｏｂａｌ  Ｅｖｏｌｕｔｉｏｎ（ＥＤＧＥ）では８位相シフトキーイング（８−ＰＳＫ）などを実行することができる。ＧＭＳＫは連続位相変調プロトコルであり、８−ＰＳＫはデジタル変調プロトコルである。送信機ユニット（ＴＭＴＲ）２１８は、変調された信号を調整（たとえば、フィルタリング、増幅、およびアップコンバート）し、変調されたＲＦ信号を生成し、その変調されたＲＦ信号はアンテナ２２０を介して送信される。
【００４１】
受信機２７３において、アンテナ２２２は、送信機２７１および他の送信機から、変調されたＲＦ信号を受信する。アンテナ２２２は、受信されたＲＦ信号を受信機ユニット（ＲＣＶＲ）２２４に提供する。受信機ユニット２２４は、受信されたＲＦ信号を調整（たとえば、フィルタリング、増幅、およびダウンコンバート）し、その調整された信号をデジタル化し、サンプルを提供する。復調器２２６は、以下で説明されるようにサンプルを処理し、復調されたデータを提供する。受信（ＲＸ）データプロセッサ２２８は、復調されたデータを処理（たとえば、デインターリーブおよび復号）し、復号されたデータ２３２を提供する。概して、復調器２２６およびＲＸデータプロセッサ２２８による処理は、それぞれ送信機２７１の変調器２１２およびＴＸデータプロセッサ２７５による処理を補足するものである。
【００４２】
コントローラ／プロセッサ２１４および２３４はそれぞれ、送信機２７１および受信機２７３における動作を指示することができる。メモリ２１６および２３６は、それぞれ送信機２７１および受信機２７３によって使用される、コンピュータソフトウェアの形式のプログラムコードとデータとを記憶する。
【００４３】
図３は、受信機２７３における受信機ユニット３２４および復調器３２６の設計のブロック図を示す。受信機ユニット３２４内では、受信チェーン３２７が、アンテナ３２２によって受信された受信ＲＦ信号を処理し、ＩbbおよびＱbbとして示されたＩベースバンド信号およびＱベースバンド信号を提供する。受信チェーン３２４は、低雑音増幅、アナログフィルタリング、直角位相ダウンコンバージョンなどを実行することができる。アナログデジタルコンバータ（ＡＤＣ）３２８は、Ｉベースバンド信号およびＱベースバンド信号を、サンプリングクロック３２９からのｆadcというサンプリングレートでデジタル化し、ＩadcおよびＱadcとして示されたＩサンプルおよびＱサンプルを提供する。概して、ＡＤＣサンプリングレートｆadcは、整数または非整数の係数によって、シンボルレートｆsymと関連付けられ得る。
【００４４】
復調器３２６内では、プリプロセッサ３３０が、アナログデジタルコンバータ（ＡＤＣ）３２８からのＩサンプルおよびＱサンプルに対して前処理を実行する。たとえば、プリプロセッサ３３０は、直流電流（ＤＣ）オフセットを除去すること、周波数オフセットを除去することなどができる。入力フィルタ３３２は、特定の周波数応答に基づいてプリプロセッサ３３０からのサンプルをフィルタリングし、ＩinおよびＱinとして示された入力Ｉサンプルおよび入力Ｑサンプルを提供する。入力フィルタ３３２は、アナログデジタルコンバータ（ＡＤＣ）３２８によるサンプリングから生じたイメージならびにジャマー(jammers)を抑制するために、ＩサンプルおよびＱサンプルをフィルタリングし得る。入力フィルタ３３２はまた、たとえば、２４倍オーバーサンプリングから２倍オーバーサンプリングへと下方に、サンプルレート変換を実行することができる。データフィルタ３３３は、別の周波数応答に基づいて入力フィルタ３３２からの入力Ｉサンプルおよび入力Ｑサンプルをフィルタリングし、ＩoutおよびＱoutとして示された出力Ｉサンプルおよび出力Ｑサンプルを提供する。入力フィルタ３３２およびデータフィルタ３３３は、有限インパルス応答（ＦＩＲ）フィルタ、無限インパルス応答（ＩＩＲ）フィルタ、または他のタイプのフィルタによって実装され得る。入力フィルタ３３２およびデータフィルタ３３３の周波数応答は、良好な性能を達成するように選択され得る。一設計では、入力フィルタ３３２の周波数応答は固定であり、データフィルタ３３３の周波数応答は設定可能である。
【００４５】
隣接チャネル干渉（ＡＣＩ：adjacent channel interference）検出器３３４は、入力フィルタ３３２からの入力Ｉサンプルおよび入力Ｑサンプルを受信し、受信されたＲＦ信号中の隣接チャネル干渉（ＡＣＩ）を検出し、隣接チャネル干渉（ＡＣＩ）インジケータ３３６をデータフィルタ３３３に提供する。隣接チャネル干渉（ＡＣＩ）インジケータ３３６は、隣接チャネル干渉（ＡＣＩ）が存在するかどうかを示すことができ、もし存在する場合、隣接チャネル干渉（ＡＣＩ）が、＋２００キロヘルツ（ｋＨｚ）を中心とするより高周波のＲＦチャネルに起因するか、かつ／または−２００ｋＨｚを中心とするより低周波のＲＦチャネルに起因するかを示すことができる。データフィルタ３３３の周波数応答は、良好な性能を達成するために、隣接チャネル干渉（ＡＣＩ）インジケータ３３６に基づいて調整され得る。
【００４６】
等化器／検出器３３５は、データフィルタ３３３からの出力Ｉサンプルおよび出力Ｑサンプルを受信し、これらのサンプルに対して、等化、マッチドフィルタリング、検出、および／または他の処理を実行する。たとえば、等化器／検出器３３５は、あるＩサンプルおよびＱサンプルのシーケンスならびにあるチャネル推定値が与えられたときに送信された可能性が最も高いシンボルのシーケンスを決定する、最大シーケンス推定器（ＭＬＳＥ：maximum likelihood sequence estimator）を実装することができる。
【００４７】
Ｇｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ）は、セルラー、ワイヤレス通信の普及した規格である。ＧＳＭは、標準的な音声サービスでは比較的効率的である。ただし、ハイファイ(high-fidelity)の音声およびデータサービスは、ＧＳＭが最適化されているデータスループットレートよりも高いデータスループットレートを必要とする。容量を増加させるために、Ｇｅｎｅｒａｌ  Ｐａｃｋｅｔ  Ｒａｄｉｏ  Ｓｅｒｖｉｃｅ（ＧＰＲＳ）、ＥＤＧＥ（Ｅｎｈａｎｃｅｄ  Ｄａｔａ  ｒａｔｅｓ  ｆｏｒ  ＧＳＭ  Ｅｖｏｌｕｔｉｏｎ）およびＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）規格がＧＳＭシステムに採用されている。ＧＳＭ／ＥＤＧＥ無線アクセスネットワーク（ＧＥＲＡＮ）仕様では、ＧＰＲＳおよびＥＧＰＲＳがデータサービスを提供する。ＧＥＲＡＮの規格は３ＧＰＰ（第３世代パートナーシッププロジェクト）によって維持されている。ＧＥＲＡＮはＧＳＭの一部である。より具体的には、ＧＥＲＡＮは、基地局１０２（ＡｔｅｒおよびＡｂｉｓインターフェース）と基地局コントローラ（Ａインターフェースなど）とを結合するネットワークとともにＧＳＭ／ＥＤＧＥの無線部分である。ＧＥＲＡＮはＧＳＭネットワークの中核部分を表す。それは、ＰＳＴＮ（公衆交換電話網）およびインターネットとリモート端末との間で、電話呼およびパケットデータをルーティングする。ＧＥＲＡＮはまた、複合ＵＭＴＳ／ＧＳＭネットワークの一部である。
【００４８】
ＧＳＭは、スペクトルリソースを共有する目的で、時分割多元接続（ＴＤＭＡ）と周波数分割多元接続（ＦＤＭＡ）との組合せを採用する。ＧＳＭネットワークは、一般に、いくつかの周波数帯域中で動作する。たとえば、アップリンク通信では、ＧＳＭ−９００は、通常、８９０〜９１５メガヘルツ（ＭＨｚ）帯域中の無線スペクトルを使用する（移動局から無線基地局装置）。ダウンリンク通信では、ＧＳＭ  ９００は９３５〜９６０ＭＨｚ帯域を使用する（基地局１０２からワイヤレス通信デバイス１０４）。さらに、各周波数帯域は２００ｋＨｚのキャリア周波数に分割され、２００ｋＨｚで離間された１２４個のＲＦチャネルが与えられる。ＧＳＭ−１９００は、アップリンクでは１８５０〜１９１０ＭＨｚ帯域を使用し、ダウンリンクでは１９３０〜１９９０ＭＨｚ帯域を使用する。ＧＳＭ  ９００と同様に、ＦＤＭＡは、アップリンクとダウンリンクの両方のスペクトルを２００ｋＨｚ幅のキャリア周波数に分割する。同様に、ＧＳＭ−８５０は、アップリンクでは８２４〜８４９ＭＨｚ帯域を使用し、ダウンリンクでは８６９〜８９４ＭＨｚ帯域を使用し、一方ＧＳＭ−１８００は、アップリンクでは１７１０〜１７８５ＭＨｚ帯域を使用し、ダウンリンクでは１８０５〜１８８０ＭＨｚ帯域を使用する。
【００４９】
既存のＧＳＭシステムの一例が、第３世代パートナーシッププロジェクト（３ＧＰＰ）規格設定団体によって公開された、「Ｔｅｃｈｎｉｃａｌ  Ｓｐｅｃｉｆｉｃａｔｉｏｎ  ３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  ＧＳＭ／ＥＤＧＥ  Ｒａｄｉｏ  Ａｃｃｅｓｓ  Ｎｅｔｗｏｒｋ；Ｍｕｌｔｉｐｅｘｉｎｇ  ａｎｄ  ｍｕｌｔｉｐｌｅ  ａｃｃｅｓｓ  ｏｎ  ｔｈｅ  ｒａｄｉｏ  ｐａｔｈ（Ｒｅｌｅａｓｅ  ４）」と題する技術仕様書３ＧＰＰ  ＴＳ  ４５．００２  Ｖ４．８．０（２００３−０６）において特定されている。
【００５０】
ＧＳＭにおける各チャネルは、特定の絶対無線周波数チャネル（ＡＲＦＣＮ：absolute radio frequency channel）によって識別される。たとえば、ＡＲＦＣＮ  １〜１２４はＧＳＭ  ９００のチャネルに割り当てられ、ＡＲＦＣＮ  ５１２〜８１０はＧＳＭ  １９００のチャネルに割り当てられる。同様に、ＡＲＦＣＮ  １２８〜２５１はＧＳＭ  ８５０のチャネルに割り当てられ、ＡＲＦＣＮ  ５１２〜８８５はＧＳＭ  １８００のチャネルに割り当てられる。また、各基地局１０２は、１つまたは複数のキャリア周波数を割り当てられる。各キャリア周波数は、８つの連続するタイムスロットが、時間が４．６１５ミリ秒（ｍｓ）である１つのＴＤＭＡフレームを形成するように、ＴＤＭＡを使用して（タイムスロット０〜７とラベルをつけられた）８つのタイムスロットに分割される。物理チャネルは、ＴＤＭＡフレーム内の１つのタイムスロットを占有する。各アクティブワイヤレス通信デバイス１０４またはユーザは、呼の時間の間、１つまたは複数のタイムスロットインデックスを割り当てられる。各ワイヤレス通信デバイス１０４のユーザ固有のデータは、そのワイヤレス通信デバイス１０４に割り当てられた（１つまたは複数の）タイムスロット中で、およびトラフィックチャネルのために使用されるＴＤＭＡフレーム中で送られる。
【００５１】
図４は、ＧＳＭにおける例示的なフレームおよびバーストフォーマットを示す。送信のためのタイムラインは、マルチフレーム４３７に分割される。ユーザ固有のデータを送信するために使用されるトラフィックチャネルの場合、この例における各マルチフレーム４３７は、ＴＤＭＡフレーム０〜２５とラベルをつけられた２６個のＴＤＭＡフレーム４３８を含む。トラフィックチャネルは、各マルチフレーム４３７のＴＤＭＡフレーム０〜１１およびＴＤＭＡフレーム１３〜２４中で送られる。制御チャネルはＴＤＭＡフレーム１２中で送られる。アイドルＴＤＭＡフレーム２５中ではデータが送られず、それは、近隣基地局１０２によって送信される信号の測定を行うために、ワイヤレス通信デバイス１０４によって使用される。
【００５２】
フレーム内の各タイムスロットは、ＧＳＭでは「バースト」４３９とも呼ばれる。各バースト４３９は、２つのテールフィールドと、２つのデータフィールドと、トレーニングシーケンス（またはミッドアンブル）フィールドと、ガード期間（ＧＰ：guard period）とを含む。各フィールド中のシンボル数が、丸括弧内に示されている。バースト４３９は、テールフィールドと、データフィールドと、ミッドアンブルフィールドとのためのシンボルを含む。ガード期間中には、シンボルが送られない。特定のキャリア周波数のＴＤＭＡフレームは、番号付けされ、マルチフレーム４３７と呼ばれる２６個または５１個のＴＤＭＡフレーム４３８のグループで形成される。
【００５３】
図５は、ＧＳＭシステムにおける例示的なスペクトル８００を示す。この例では、２００ｋＨｚだけ離間した５つのＲＦチャネル上で、５つの変調されたＲＦ信号が送信される。中心周波数が０Ｈｚである、注目するＲＦチャネルが示されている。２つの隣接ＲＦチャネルは、所望のＲＦチャネルの中心周波数から＋２００ｋＨｚおよび−２００ｋＨｚにある中心周波数を有する。（ブロッカーまたは非隣接ＲＦチャネルと呼ばれる）次の２つの最も近いＲＦチャネルは、所望のＲＦチャネルの中心周波数から＋４００ｋＨｚおよび−４００ｋＨｚにある中心周波数を有する。簡単のために図５には示されていない他のＲＦチャネルが、スペクトル５００中に存在し得る。ＧＳＭでは、変調されたＲＦ信号は、ｆsym＝１３０００／４０＝２７０．８キロシンボル／秒（ｋｓｐｓ）のシンボルレートで生成され、１３５ｋＨｚまでの−３デシベル（ｄＢ）帯域幅を有する。したがって、図５に示されるように、隣接ＲＦチャネル上の変調されたＲＦ信号は端部において互いに重複し得る。
【００５４】
ＧＳＭ／ＥＤＧＥでは、ワイヤレス通信デバイス１０４が、周波数オフセット推定および補正を使用してワイヤレス通信デバイスのローカル発振器（ＬＯ）を基地局１０２のローカル発振器（ＬＯ）に同期するのを可能にするために、基地局１０２によって周波数バースト（ＦＢ）が定期的に送られる。これらのバーストは、すべてが「０」のペイロードおよびトレーニングシーケンスに対応する、シングルトーンを備える。周波数バーストのすべてが０のペイロードは、一定周波数の信号、またはシングルトーンバーストである。電力モードにあるとき、ワイヤレス通信デバイス１０４は、キャリアのリストから周波数バーストを継続的に捜索する(hunt)。周波数バーストを検出すると、ワイヤレス通信デバイス１０４は、キャリアから６７．７ｋＨｚにある、その公称(nominal)周波数に対する周波数オフセットを推定する。ワイヤレス通信デバイス１０４のローカル発振器（ＬＯ）は、この推定された周波数オフセットを使用して補正される。電源投入モードでは、周波数オフセットは＋／−１９ｋＨｚ程度であり得る。ワイヤレス通信デバイス１０４は、待機モードにおいて同期を維持するために、定期的に起動して周波数バーストを監視する。待機モードでは、周波数オフセットは±２ｋＨｚ内である。
【００５５】
ＧＥＲＡＮシステムでは、音声、データ、および／または制御情報のような情報を通信するために、１つまたは複数の変調方式が使用される。変調方式の例は、ＧＭＳＫ（ガウス型最小シフトキーイング）、Ｍ値ＱＡＭ（直交振幅変調）またはＭ値ＰＳＫ（位相シフトキーイング）を含んでよく、ここでＭ＝２nであり、ｎは、指定された変調方式のシンボル期間内で符号化されるビット数である。ＧＭＳＫは、２７０．８３キロビット毎秒（Ｋｂｐｓ）の最大レートにおける未加工伝送(raw transmission)を可能にする、定エンベロープバイナリ変調方式である。
【００５６】
Ｇｅｎｅｒａｌ  Ｐａｃｋｅｔ  Ｒａｄｉｏ  Ｓｅｒｖｉｃｅ（ＧＰＲＳ）は、非音声サービスである。それは、情報が携帯電話ネットワーク上で送られ受け取られることを可能にする。それは、回路交換データ（ＣＳＤ：Circuit Switched Data）とショートメッセージサービス（ＳＭＳ）とを補足する。ＧＰＲＳは、ＧＳＭと同じ変調方式を採用する。ＧＰＲＳは、フレーム全体（すべての８つのタイムスロット）が単一の移動局によって同時に使用されることを可能にする。したがって、より高いデータスループットレートが達成可能である。
【００５７】
ＥＤＧＥ規格は、ＧＭＳＫ変調と８−ＰＳＫ変調の両方を使用する。また、変調タイプはバーストごとに変更され得る。ＥＤＧＥにおける８−ＰＳＫ変調は、３π／８回転を伴う線形８値位相変調であり、ＧＭＳＫは、非線形ガウスパルス整形周波数変調である。ただし、ＧＳＭにおいて使用される特定のＧＭＳＫ変調は、線形変調（すなわち、π／２回転を伴う２値位相変調）によって近似され得る。近似されたＧＳＭＫのシンボルパルスと８−ＰＳＫのシンボルパルスとは同じである。ＥＧＰＲＳ２規格は、ＧＭＳＫ変調と、ＱＰＳＫ変調と、８−ＰＳＫ変調と、１６−ＱＡＭ変調と、３２−ＱＡＭ変調とを使用する。変調のタイプは、バーストごとに変更され得る。ＥＧＰＲＳ２におけるＱ−ＰＳＫ変調、８−ＰＳＫ変調、１６−ＱＡＭ変調、および３２−ＱＡＭ変調は、３π／４、３π／８、π／４、−π／４の回転を伴う、線形の、４値、８値、１６値、および３２値の位相変調であり、ＧＭＳＫは、非線形ガウスパルス整形周波数変調である。ただし、ＧＳＭにおいて使用される特定のＧＭＳＫ変調は、線形変調（すなわち、π／２回転を伴う２値位相変調）によって近似され得る。近似されたＧＳＭＫのシンボルパルスと８−ＰＳＫのシンボルパルスとは同じである。Ｑ−ＰＳＫ、１６−ＱＡＭ、および３２−ＱＡＭのシンボルパルスは、スペクトル的に狭いまたは広い、パルス形状を使用することができる。
【００５８】
図６は、送信回路６４１（電力増幅器６４２を含む）と、受信回路６４３と、電力制御器６４４と、復号プロセッサ６４５と、信号の処理に使用する処理ユニット６４６と、メモリ６４７とを含む、ワイヤレスデバイス６００の例を示す。ワイヤレスデバイス６００は、基地局１０２またはワイヤレス通信デバイス１０４であってよい。送信回路６４１および受信回路６４３は、ワイヤレスデバイス６００と遠隔のロケーションとの間で、オーディオ通信のようなデータの送信および受信を可能にし得る。送信回路６４１および受信回路６４３は、アンテナ６４０に結合され得る。
【００５９】
処理ユニット６４６は、ワイヤレスデバイス６００の動作を制御する。処理ユニット６４６は、中央処理装置（ＣＰＵ）と呼ばれることもある。読取り専用メモリ（ＲＯＭ）とランダムアクセスメモリ（ＲＡＭ）の両方を含み得るメモリ６４７は、命令およびデータを処理ユニット６４６に提供する。メモリ６４７の一部は、不揮発性ランダムアクセスメモリ（ＮＶＲＡＭ）も含み得る。
【００６０】
ワイヤレスデバイス６００の様々なコンポーネントは、データバスに加えて、電力バスと、制御信号バスと、ステータス信号バスとを含み得る、バスシステム６４９によって互いに結合され得る。明確にするために、様々なバスが、バスシステム６４９として図６において示されている。
【００６１】
論じられる方法のステップはまた、ワイヤレスデバイス６００中のメモリ６４７中に位置するソフトウェアまたはファームウェアの形式の命令として記憶され得る。これらの命令は、ワイヤレスデバイス６００中のコントローラ／プロセッサ１１０によって実行され得る。代替的に、または関連して、論じられる方法のステップは、ワイヤレスデバイス６００中のメモリ６４７中に位置するソフトウェアまたはファームウェア６４８の形式の命令として記憶され得る。これらの命令は、図６中のワイヤレスデバイス６００の処理ユニット６４６によって実行され得る。
【００６２】
図７は、送信機構造および／または処理の例を示す。図７の送信機構造および／または処理は、ワイヤレス通信デバイス１０４または基地局１０２のようなワイヤレスデバイスにおいて実装され得る。図７に示される機能およびコンポーネントは、ソフトウェア、ハードウェア、またはソフトウェアとハードウェアとの組合せによって実装され得る。示される機能に加えて、またはその代わりに、他の機能が図７に追加され得る。
【００６３】
図７では、データソース７５０が、データｄ（ｔ）７５１をフレーム品質インジケータ（ＦＱＩ）／エンコーダ７５２に提供する。フレーム品質インジケータ（ＦＱＩ）／エンコーダ７５２は、巡回冗長検査（ＣＲＣ）のようなフレーム品質インジケータ（ＦＱＩ）をデータｄ（ｔ）に付加することができる。フレーム品質インジケータ（ＦＱＩ）／エンコーダ７５２はさらに、符号化されたシンボル７５３を提供するために、１つまたは複数の符号化方式を使用してデータとフレーム品質インジケータ（ＦＱＩ）とを符号化し得る。各符号化方式は、畳み込み符号化、ターボ符号化、ブロック符号化、反復符号化、他のタイプの符号化、またはまったく符号化しないなど、１つまたは複数のタイプの符号化を含み得る。他の符号化方式は、自動反復要求（ＡＲＱ）、ハイブリッドＡＲＱ（Ｈ−ＡＲＱ）、およびｉｎｃｒｅｍｅｎｔａｌ  ｒｅｄｕｎｄａｎｃｙ反復技法を含み得る。異なるタイプのデータは、異なる符号化方式によって符号化され得る。
【００６４】
インターリーバ７５４は、フェージングをなくすために符号化されたデータシンボル７５３を時間的にインターリーブし、シンボル７５５を生成する。インターリーブされたシンボル７５５は、フレーム７５７を生成するために、フレームフォーマットブロック７５６によって、事前に定義されたフレームフォーマットにマッピングされ得る。ある例では、フレームフォーマットブロック７５６は、複数のサブセグメントから構成されるものとしてフレーム７５７を規定し得る。サブセグメントは、所与の次元、たとえば、時間、周波数、コード、または任意の他の次元に沿った、フレーム７５７の連続する部分であり得る。フレーム７５７は、固定された複数のそのようなサブセグメントから構成されてよく、各サブセグメントは、フレームに割り当てられるシンボルの総数の一部を含む。一例では、インターリーブされたシンボル７５５は、フレーム７５７を構成する複数のＳ個のサブセグメントにセグメント化される。
【００６５】
フレームフォーマットブロック７５６はさらに、インターリーブされたシンボル７５５とともに、たとえば、制御シンボル（図示せず）を含むことを規定し得る。そのような制御シンボルは、電力制御シンボル、フレームフォーマット情報シンボルなどを含み得る。
【００６６】
変調器７５８は、フレーム７５７を変調して変調されたデータ７５９を生成する。変調技法の例は、バイナリ位相シフトキーイング（ＢＰＳＫ）および直交位相シフトキーイング（ＱＰＳＫ）を含む。変調器７５８はまた、変調されたデータのシーケンスを反復し得る。
【００６７】
ベースバンド−高周波（ＲＦ）変換ブロック７６０は、アンテナ７６１を介した信号７６２としてのワイヤレス通信リンクを通じた１つまたは複数のワイヤレスデバイス受信機への送信のために、変調された信号７５９をＲＦ信号に変換することができる。
【００６８】
既存のＧｌｏｂａｌ  Ｓｙｓｔｅｍｓ  ｆｏｒ  Ｍｏｂｉｌｅ  Ｃｏｍｍｕｎｉｃａｔｉｏｎｓ（ＧＳＭ）  ｅｎｈａｎｃｅｄ  ｄａｔａ  ｒａｔｅｓ  ｆｏｒ  ＧＳＭ  Ｅｖｏｌｕｔｉｏｎ（ＥＤＧＥ）（ＧＥＲＡＮ）ワイヤレスセルラーネットワークは、サービスを人のユーザに提供するように主に設計される。ネットワークは、セル当たり限られたセットのユーザにサービスするような大きさにされる。ネットワークはますます、人間の介入を必要としないワイヤレス通信デバイス１０４を含む、新種のサービスをユーザに提供する必要がある。これらのワイヤレス通信デバイス１０４は、マシンタイプ通信（ＭＴＣ）デバイスまたはマシンツーマシン通信（Ｍ２Ｍ）デバイスと呼ばれ得る。マシンタイプ通信（ＭＴＣ）デバイスの一例は、測定された値をマシンタイプ通信（ＭＴＣ）サーバへ定期的に自動的に報告する、スマートメーターである。マシンタイプ通信（ＭＴＣ）サーバは、コアネットワークの一部であってよい。したがって、マシンタイプ通信（ＭＴＣ）デバイスは、測定された値を基地局１０２へ報告することができ、基地局１０２は、測定された値を、コアネットワーク上でマシンタイプ通信（ＭＴＣ）サーバへ中継することができる。マシンタイプ通信（ＭＴＣ）デバイスの他の例は、個人向け健康モニター、車両／製品追跡デバイス、環境モニター、およびセキュリティモニターを含む。
【００６９】
スマートフォンおよび同様のワイヤレス通信デバイス１０４は、ネットワークの観点から、マシンタイプ通信（ＭＴＣ）デバイスの特性の多くを示し得ることに、留意されたい。具体的には、そのようなデバイス上で実行されるソフトウェアアプリケーションは、人の介入なく、リモートサーバにアクセスするためにネットワークと対話することができる。そのようなアプリケーションの例は、新たな電子メールまたは更新を確認するためにリモートサーバに定期的にポーリングする、電子メールクライアントまたはソーシャルネットワーキングアプリケーションを含む。この理由で、マシンタイプ通信（ＭＴＣ）デバイスへの言及は、ＭＴＣデバイスタイプの挙動を示すすべてのモバイル通信デバイスとアプリケーションとを含むものとして、解釈されるべきである。
【００７０】
マシンタイプ通信（ＭＴＣ）デバイスのアプリケーションでは、非常に小さな地理的エリア内に非常に多数のマシンタイプ通信（ＭＴＣ）デバイスを有することが可能である。具体的には、多数のマシンタイプ通信（ＭＴＣ）デバイスを同じセルの中に有することが可能である。各マシンタイプ通信（ＭＴＣ）デバイスは、ネットワークと頻繁に通信する必要があることがあり、ネットワークの過負荷につながる。
【００７１】
マシンタイプ通信（ＭＴＣ）デバイスによって報告されるデータの多くは、本来小さくバースト性であると考えられる。アップリンクデータ転送のために、基地局１０２は、確認応答メッセージを各マシンタイプ通信（ＭＴＣ）デバイスへ送信するように、ダウンリンクデータトラフィックチャネルを使用し得る。基地局１０２によって送られる確認応答メッセージは、パケットアップリンクＡｃｋ／Ｎａｃｋ（ＰＵＡＮ）であり得る。個々のパケットアップリンクＡｃｋ／Ｎａｃｋ（ＰＵＡＮ）を各マシンタイプ通信（ＭＴＣ）デバイスへ単一のセル内で送信することは、多くのネットワーク帯域幅を使い得る。
【００７２】
図８は、基地局８０２から複数のマシンタイプ通信（ＭＴＣ）デバイス８０４ａ〜ｃへ送られる、確認応答メッセージ８８４を示すブロック図である。図８の基地局８０２は、図１に示される基地局１０２の一構成であり得る。図８のマシンタイプ通信（ＭＴＣ）デバイス８０４ａ〜ｃは、図１のワイヤレス通信デバイス１０４の一構成であり得る。基地局８０２は、ダウンリンクデータトラフィックチャネル８８９を介して、確認応答メッセージ８８４を複数のマシンタイプ通信（ＭＴＣ）デバイス８０４へ送信することができる。
【００７３】
確認応答シグナリングメッセージにおいて使用される帯域幅を減らす１つの方法は、１つの確認応答メッセージ８８４でアドレス指定され得るマシンタイプ通信（ＭＴＣ）デバイス８０４の数を増やすことである。これは、確認応答メッセージ８８４内でアドレス指定された各マシンタイプ通信（ＭＴＣ）デバイス８０４のためのＡｃｋ／Ｎａｃｋ情報を入れるために、確認応答メッセージ８８４から冗長な情報を除去し、余剰の空間を使用することによって、達成され得る。このことは、ダウンリンクネットワークの容量の増大につながり得る。一構成では、単一の確認応答メッセージ８８４は、最大で１５個の異なるマシンタイプ通信（ＭＴＣ）デバイス８０４に対して、パケットアップリンクＡｃｋ／Ｎａｃｋ（ＰＵＡＮ）を提供することができる。単一の確認応答メッセージ８８４を使用することは、各マシンタイプ通信（ＭＴＣ）デバイス８０４が少量のデータを定期的に送信する必要があるとき、最大の利益をもたらし得る。単一の確認応答メッセージ８８４を使用することは、確認応答メッセージごとに単一のデバイスをアドレス指定することに関わる、ＧＥＲＡＮ内での既存の確認応答機構を補完するものである。
【００７４】
基地局８０２は、複数のマシンタイプ通信（ＭＴＣ）デバイス８０４からデータを受信した後、確認応答メッセージ８８４を定期的に生成することができる。一構成では、マシンタイプ通信（ＭＴＣ）デバイス８０４から基地局８０２によって受信されるデータは、無線リンク制御（ＲＬＣ）データブロックであってよい。基地局８０２は、確認応答メッセージ８８４を生成しマシンタイプ通信（ＭＴＣ）デバイス８０４へ送信する前に、マシンタイプ通信（ＭＴＣ）デバイス８０２から複数の無線リンク制御（ＲＬＣ）データブロックを受信することができる。したがって、基地局８０２が、マシンタイプ通信（ＭＴＣ）デバイス８０４から、無線リンク制御（ＲＬＣ）データブロックの一部の受信に成功し、他の一部の受信に成功しなかった場合、基地局８０２は、どのデータブロックが再び送られる必要があるかを、確認応答メッセージ８８４においてマシンタイプ通信（ＭＴＣ）デバイス８０４に示すことができる。
【００７５】
確認応答メッセージ８８４は、各々のアドレス指定されたデバイスのために不可欠な情報のみを含み得る。確認応答メッセージ８８４に不可欠な情報のみを含めることで、基地局８０２によって受信される無線リンク制御（ＲＬＣ）データブロックに確認応答するために使用されるビットの数は、減らされ得る。確認応答メッセージ８８４の中のビットの数を減らすことで、確認応答メッセージ８８４は、同じメッセージ内に、２つ以上のマシンタイプ通信（ＭＴＣ）デバイス８０４のための確認応答情報を含み得る。
【００７６】
図８の確認応答メッセージ８８４は、第１のマシンタイプ通信（ＭＴＣ）デバイス８０４ａ、第２のマシンタイプ通信（ＭＴＣ）デバイス８０４ｂ、および第３のマシンタイプ通信（ＭＴＣ）デバイス８０４ｃという３つのマシンタイプ通信（ＭＴＣ）デバイス８０４のための確認応答情報とともに示される。しかし、確認応答メッセージ８８４は、各々の確認応答／否定応答（Ａｃｋ／Ｎａｃｋ）のために使用されるビットの数に応じて、最大で１５個のマシンタイプ通信（ＭＴＣ）デバイス８０４のための確認応答情報を含み得る。
【００７７】
確認応答メッセージ８８４は、ヘッダ８８５を含み得る。ただし、複数のデバイスがアドレス指定されているので、確認応答メッセージ８８４のヘッダ８８５の中のＥｎｈａｎｃｅｄ  Ｇｅｎｅｒａｌ  Ｐａｃｋｅｔ  Ｒａｄｉｏ  Ｓｅｒｖｉｃｅ（ＥＧＰＲＳ）Ｓｕｐｐｌｅｍｅｎｔａｒｙ／Ｐｏｌｌｉｎｇ（ＥＳ／Ｐ）フィールドは使用されない。現在の規格では、ＥＳ／Ｐビットは、ダウンリンク無線リンク制御（ＲＬＣ）／メディアアクセス制御（ＭＡＣ）メッセージによってアドレス指定される、ワイヤレス通信デバイス１０４に関係がある。図８に示される提案されるパケットアップリンクＡｃｋ／Ｎａｃｋ（ＰＵＡＮ）構造では、２つ以上のワイヤレス通信デバイス１０４がアドレス指定され得るが、その場合ＥＳ／Ｐフィールドは使用されない。
【００７８】
パケットアップリンクＡｃｋ／Ｎａｃｋ（ＰＵＡＮ）によってアドレス指定されるべきすべてのデバイスは、パケットアップリンクＡｃｋ／Ｎａｃｋ（ＰＵＡＮ）内に自身のアドレスを有する。マシンタイプ通信（ＭＴＣ）デバイスアドレス８８８は、一時的なフローアイデンティティ（ＴＦＩ）であってよい。ある確認応答メッセージ８８４では、各々のアドレス指定されるデバイスは、３つの選択肢のうちの１つを有し得る。第１の選択肢では、確認応答メッセージ８８４は、マシンタイプ通信（ＭＴＣ）デバイス８０４のための確認応答８８６を含む。確認応答８８６は、マシンタイプ通信（ＭＴＣ）デバイスアドレス８８８ａを含む。確認応答８８６はまた、相対予約ブロック期間（ＲＲＢＰ）８９０ａを含み得る。第２の選択肢では、確認応答メッセージ８８４は、可変長確認応答ビットマップ８８７ａを含み得る。可変長確認応答ビットマップ８８７ａは、Ａｃｋ／Ｎａｃｋビットマップであってよい。可変長確認応答ビットマップ８８７ａは、マシンタイプ通信（ＭＴＣ）デバイスアドレス８８８ｂを含み得る。第３の選択肢では、確認応答メッセージ８８４は、可変長確認応答ビットマップ８８７ｂを含み得る。可変長確認応答ビットマップ８８７ｂはまた、Ａｃｋ／Ｎａｃｋビットマップであってよい。ただし、第３の選択肢では、可変長確認応答ビットマップ８８７ｂは、マシンタイプ通信（ＭＴＣ）デバイスアドレス８８８ｃと相対予約ブロック期間（ＲＲＢＰ）８９０ｂの両方を含み得る。
【００７９】
確認応答８８６は、すべての無線リンク制御（ＲＬＣ）データブロックの転送に成功した、各マシンタイプ通信（ＭＴＣ）デバイス８０４のために使用され得る。確認応答８８６は、すべての無線リンク制御（ＲＬＣ）データブロックがネットワークによって受信されたことを、マシンタイプ通信（ＭＴＣ）デバイス８０４に知らせるために使用され得る。
【００８０】
上で論じられたように、確認応答メッセージ８８４は、相対予約ブロック期間（ＲＲＢＰ）８９０ａを含み得る。相対予約ブロック期間（ＲＲＢＰ）８９０ａは、マシンタイプ通信（ＭＴＣ）デバイス８０４のようなワイヤレス通信デバイス１０４からフィードバックを取得するために使用され得る。このフィードバックは、ワイヤレス通信デバイス１０４がメッセージ（この場合、パケットアップリンクＡｃｋ／Ｎａｃｋ（ＰＵＡＮ））を受信したことを裏付けることができる。相対予約ブロック期間（ＲＲＢＰ）８９０のビットの数は、前に使用されている２ビットから拡張され得る。一構成では、相対予約ブロック期間（ＲＲＢＰ）８９０のビットの数は、４ビットであり得る。
【００８１】
可変長確認応答ビットマップ８８７は、無線リンク制御（ＲＬＣ）データブロックのすべての、ネットワークへの転送にまだ成功していない、各マシンタイプ通信（ＭＴＣ）デバイス８０４のために使用され得る。可変長確認応答ビットマップ８８７は、どの無線リンク制御（ＲＬＣ）データブロックが受信に成功しなかったか（およびしたがって、再送信される必要があるか）を、マシンタイプ通信（ＭＴＣ）デバイス８０４に示すことができる。可変長確認応答ビットマップ８８７を使用することで、確認応答メッセージ８８４は、同じ確認応答メッセージ８８４内に、他のマシンタイプ通信（ＭＴＣ）デバイス８０４のための確認応答情報を含むことが可能になり得る。
【００８２】
確認応答メッセージ８８４は、いくつかのワイヤレス通信デバイス１０４のための確認応答８８６と、他のワイヤレス通信デバイス１０４のための可変長確認応答ビットマップ８８７との組合せを含み得る。確認応答メッセージ８８４内での相対予約ブロック期間（ＲＲＢＰ）８９０の情報の存在は、マシンタイプ通信（ＭＴＣ）デバイス８０４がパケット制御確認応答（ＰＣＡ）を提供するようにＭＴＣデバイス８０４がポーリングされることを示唆する。
【００８３】
図９は、単一の確認応答メッセージ８８４を使用して、複数のマシンタイプ通信（ＭＴＣ）デバイス８０４と通信するための方法９００の、流れ図である。方法９００は、基地局８０２によって実行され得る。基地局８０２は、複数のマシンタイプ通信（ＭＴＣ）デバイス８０４から、無線リンク制御（ＲＬＣ）データブロックを受信することができる（９０２）。基地局８０２は、基地局８０２が１つの確認応答メッセージ８８４のみを使用して複数のマシンタイプ通信（ＭＴＣ）デバイス８０４をアドレス指定するのを可能にする、単一の確認応答メッセージ８８４を生成することができる（９０４）。
【００８４】
単一の確認応答メッセージ８８４は、１つまたは複数のマシンタイプ通信（ＭＴＣ）デバイス８０４のための確認応答８８６と、１つまたは複数の他のマシンタイプ通信（ＭＴＣ）デバイス８０４のための確認応答ビットマップ（すなわち、確認応答情報によって満たされた可変長確認応答ビットマップ８８７）との組合せを含み得る。生成された単一の確認応答メッセージ８８４は、無線リンク制御（ＲＬＣ）データブロックを基地局８０２へ送信している複数のマシンタイプ通信（ＭＴＣ）デバイス８０４を基地局８０２がアドレス指定することを可能にしないことがある。単一の確認応答メッセージ８８４は、最大で１５個のマシンタイプ通信（ＭＴＣ）デバイス８０４を基地局８０２がアドレス指定することを可能にする。基地局８０２は、生成された確認応答メッセージ８８４を、マシンタイプ通信（ＭＴＣ）デバイス８０４へ送信することができる（９０６）。一構成では、基地局８０２は、同じ時間および／または周波数のリソースを使用して、生成された確認応答メッセージ８８４を複数のマシンタイプ通信（ＭＴＣ）デバイス８０４へ送信することができる（９０６）。基地局８０２は、ダウンリンクデータトラフィックチャネル８８９を介して、確認応答メッセージ８８４を送信することができる（９０６）。
【００８５】
図１０は、複数のマシンタイプ通信（ＭＴＣ）デバイス８０４に向けられる確認応答メッセージ８８４を受信するための方法１０００の流れ図である。方法１０００は、マシンタイプ通信（ＭＴＣ）デバイス８０４によって実行され得る。マシンタイプ通信（ＭＴＣ）デバイス８０４は、１つまたは複数の無線リンク制御（ＲＬＣ）データブロックを基地局８０２へ送信することができる（１００２）。マシンタイプ通信（ＭＴＣ）デバイス８０４がすべてのデータを送ると、マシンタイプ通信（ＭＴＣ）デバイス８０４は、すべてのデータが送られたことを基地局８０２に知らせることができる（１００４）。マシンタイプ通信（ＭＴＣ）デバイス８０４は次いで、基地局８０２からの確認応答を待機することができる。
【００８６】
マシンタイプ通信（ＭＴＣ）デバイス８０４は、基地局８０２からの確認応答メッセージ８８４を受信することができる（１００６）。確認応答メッセージ８８４は、パケットアップリンクＡｃｋ／Ｎａｃｋ（ＰＵＡＮ）であってよい。したがって、確認応答メッセージ８８４は、複数のマシンタイプ通信（ＭＴＣ）デバイス８０４をアドレス指定するために、基地局８０２によって使用され得る。確認応答メッセージ８８４は、確認応答メッセージ８８４によってアドレス指定されたマシンタイプ通信（ＭＴＣ）デバイス８０４の１つとしてマシンタイプ通信（ＭＴＣ）デバイス８０４を識別する、マシンタイプ通信（ＭＴＣ）デバイスアドレス８８８を含む。マシンタイプ通信（ＭＴＣ）デバイスアドレス８８８は、Ｔｅｍｐｏｒａｒｙ  Ｆｌｏｗ  Ｉｄｅｎｔｉｆｉｅｒ（ＴＦＩ）である。マシンタイプ通信（ＭＴＣ）デバイス８０４は、マシンタイプ通信（ＭＴＣ）デバイス８０４に対応する確認応答メッセージ８８４の部分（すなわち、マシンタイプ通信（ＭＴＣ）デバイスアドレス８８８に対応する確認応答メッセージ８８４の部分）を決定することができる（１００８）。
【００８７】
マシンタイプ通信（ＭＴＣ）デバイス８０４は、マシンタイプ通信（ＭＴＣ）デバイス８０４に対応する確認応答メッセージ８８４の部分が、確認応答８８６か可変長確認応答ビットマップ８８７かを判定することができる（１０１０）。マシンタイプ通信（ＭＴＣ）デバイス８０４に対応する確認応答メッセージ８８４の部分が確認応答８８６であると判定される場合（１０１０）、方法１０００は終了してよく（基地局８０２がマシンタイプ通信（ＭＴＣ）デバイス８０４から無線リンク制御（ＲＬＣ）データブロックのすべてを正常に受信した）、ｔｅｍｐｏｒａｒｙ  ｂｌｏｃｋ  ｆｌｏｗ（ＴＢＦ）は解放され得る。マシンタイプ通信（ＭＴＣ）デバイス８０４に対応する確認応答メッセージ８８４の部分が可変長確認応答ビットマップ８８７である場合、マシンタイプ通信（ＭＴＣ）デバイス８０４は、基地局８０２へ再送信するための１つまたは複数の無線リンク制御（ＲＬＣ）データブロックを決定することができる（１０１２）。マシンタイプ通信（ＭＴＣ）デバイス８０４は次いで、１つまたは複数の決定された無線リンク制御（ＲＬＣ）データブロックを基地局８０２へ再送信することができる（１００２）。
【００８８】
図１１は、基地局１１０２から複数のマシンタイプ通信（ＭＴＣ）デバイス１１０４ａ〜ｄへ送られる、相対予約ブロック期間（ＲＲＢＰ）確認応答メッセージ１１６３を示す、別のブロック図である。マシンタイプ通信（ＭＴＣ）デバイス１１０４ａ〜ｄからのすべての無線リンク制御（ＲＬＣ）ブロックの受信の成功に続いて、基地局１１０２は、上で説明されたように、パケットアップリンクＡｃｋ／Ｎａｃｋ（ＰＵＡＮ）メッセージの形式で、相対予約ブロック期間（ＲＲＢＰ）確認応答メッセージ１１６３をマシンタイプ通信（ＭＴＣ）デバイス１１０４ａ〜ｄへ送信することができる。相対予約ブロック期間（ＲＲＢＰ）確認応答メッセージ１１６３は、相対予約ブロック期間（ＲＲＢＰ）１１９０ａ〜ｄ内のフレームという形式である期間を示すものであり、この期間内に、マシンタイプ通信（ＭＴＣ）デバイス１１０４ａ〜ｄの各々は、確認応答を基地局１１０２へ送信すべきである。明確にするために、相対予約ブロック期間（ＲＲＢＰ）確認応答メッセージ１１６３は、基地局１１０２からの確認応答１１８６ａ〜ｄのみを含み、たとえば、可変長確認応答ビットマップ８８７を含まない。
【００８９】
マシンタイプ通信（ＭＴＣ）デバイス１１０４が、そのマシンタイプ通信（ＭＴＣ）デバイス１１０４に向けられた確認応答１１８６を含む相対予約ブロック期間（ＲＲＢＰ）確認応答メッセージ１１６３を、基地局１１０２から受信すると、マシンタイプ通信（ＭＴＣ）デバイス１１０４は、マシンタイプ通信（ＭＴＣ）デバイス１１０４による確認応答１１８６の受信を確認応答するように機能する、デバイス確認応答を基地局１１０２へ返信することができる。一構成では、デバイス確認応答は、パケット制御確認応答（ＰＣＡ）であってよい。
【００９０】
マシンタイプ通信（ＭＴＣ）デバイス１１０４またはワイヤレス通信デバイス１０４からのデバイス確認応答に関して、ＧＳＭ規格は、アクセスバーストモードおよびノーマルバーストモードという、そのようなデバイス確認応答を送信するための２つのモードを定義する。アクセスバーストモードでは、デバイス確認応答は、無線ブロックの４つのフレームの各々において送られる（すなわち、デバイス確認応答は、無線ブロック内で４回繰り返される）。ノーマルバーストモードでは、確認応答は１回しか送られないが、デバイス確認応答と関連付けられるデータは、冗長に符号化され、無線ブロック全体にわたって分散される。両方のモードが、デバイス確認応答がマシンタイプ通信（ＭＴＣ）デバイス１１０４またはワイヤレス通信デバイス１０４から基地局１１０２へ達する可能性を最大にするために、冗長性を内包する。
【００９１】
そのような冗長性は安定性を増加させるが、それはある環境では、望ましくないことにネットワークトラフィックを増大させる効果があり得る。余剰のデータ冗長性が負の影響を有し得る具体的な状況は、複数のマシンタイプ通信（ＭＴＣ）デバイス１１０４がネットワークと通信している場合である。大半のマシンタイプ通信（ＭＴＣ）デバイス１１０４は静止しているので、ＭＴＣデバイスとそれらの関連付けられる基地局１１０２との間のチャネルは、基地局１１０２によってよく理解される可能性が高い。そのような環境では、マシンタイプ通信（ＭＴＣ）デバイス１１０４とネットワークとの間のシグナリングに利用されるデータ冗長性の量を減らすことによって、ネットワークトラフィックを減らし、それによってネットワークトラフィックを減らす機会があり得る。多くの場合、これは、データのすべての受信が成功していないことによるデータの再送信の数を大幅に増やすことなく達成され得るので、ネットワークリソース利用の全体的な効率の増加をもたらす。
【００９２】
マシンタイプ通信（ＭＴＣ）デバイス１１０４の各々は、基地局１１０２からの相対予約ブロック期間（ＲＲＢＰ）確認応答メッセージ１１６３を受信し復号する。復号された相対予約ブロック期間（ＲＲＢＰ）確認応答メッセージ１１６３から、各マシンタイプ通信（ＭＴＣ）デバイス１１０４は、（各確認応答１１８６ａ〜ｄのマシンタイプ通信（ＭＴＣ）デバイスアドレス（一時的なフローアイデンティティ（ＴＦＩ））１１８８ａ〜ｄに基づいて）マシンタイプ通信（ＭＴＣ）デバイス１１０４がパケット制御確認応答（ＰＣＡ）を基地局８０２へ送信すべき相対予約ブロック期間（ＲＲＢＰ）１１９０を決定することができる。より具体的には、復号された相対予約ブロック期間（ＲＲＢＰ）確認応答メッセージ１１６３の中のマシンタイプ通信（ＭＴＣ）デバイス１１０４のリスト内での相対的な位置を決定することによって、各マシンタイプ通信（ＭＴＣ）デバイス１１０４は、それがデバイス確認応答を送信すべき特定のフレームを決定することができる。マシンタイプ通信（ＭＴＣ）デバイス１１０４のリストは、複数のワイヤレス通信デバイス１０４のアドレスのリストであってよい。
【００９３】
図１１に示される例では、マシンタイプ通信（ＭＴＣ）デバイス１１０４は以下の順序で現れる。
【００９４】
１．第１のマシンタイプ通信（ＭＴＣ）デバイス１１０４ａ
２．第２のマシンタイプ通信（ＭＴＣ）デバイス１１０４ｂ
３．第３のマシンタイプ通信（ＭＴＣ）デバイス１１０４ｃ
４．第４のマシンタイプ通信（ＭＴＣ）デバイス１１０４ｄ
したがって、フレームオフセットは以下のように割り当てられる。
【００９５】
第１のマシンタイプ通信（ＭＴＣ）デバイス１１０４ａ＝０フレームオフセット
第２のマシンタイプ通信（ＭＴＣ）デバイス１１０４ｂ＝１フレームオフセット
第３のマシンタイプ通信（ＭＴＣ）デバイス１１０４ｃ＝２フレームオフセット
第４のマシンタイプ通信（ＭＴＣ）デバイス１１０４ｄ＝３フレームオフセット
図１２は、複数のマシンタイプ通信（ＭＴＣ）デバイス１１０４への単一の相対予約ブロック期間（ＲＲＢＰ）確認応答メッセージ１１６３の向上した送信の方法１２００の流れ図である。方法１２００は、基地局１１０２によって実行され得る。基地局１１０２は、複数のマシンタイプ通信（ＭＴＣ）デバイス１１０４をアドレス指定する、相対予約ブロック期間（ＲＲＢＰ）確認応答メッセージ１１６３を生成することができる（１２０２）。上で論じられたように、相対予約ブロック期間（ＲＲＢＰ）確認応答メッセージ１１６３は、各々のアドレス指定されたマシンタイプ通信（ＭＴＣ）デバイス１１０４のための、相対予約ブロック期間（ＲＲＢＰ）１１９０を含み得る。
【００９６】
基地局１１０２は、複数のマシンタイプ通信（ＭＴＣ）デバイス１１０４へ、相対予約ブロック期間（ＲＲＢＰ）確認応答メッセージ１１６３を送信することができる（１２０４）。基地局１１０２は次いで、デバイス確認応答メッセージを、マシンタイプ通信（ＭＴＣ）デバイス１１０２の各々から受信することができる（１２０６）。一構成では、デバイス確認応答メッセージは、パケット制御確認応答（ＰＣＡ）メッセージであってよい。各パケット制御確認応答（ＰＣＡ）メッセージは、各マシンタイプ通信（ＭＴＣ）デバイス１１０４に割り当てられた、相対予約ブロック期間（ＲＲＢＰ）１１９０の中で送信されてよい。
【００９７】
一構成では、ワイヤレス通信デバイス１１０４のグループが、同時にデバイス確認応答メッセージを送ることができる。このことによって、各ワイヤレス通信デバイス１１０４による送信が互いに干渉し、基地局１１０２がデバイス確認応答メッセージのいずれも復号できなくなる可能性が高くなり得る。
【００９８】
図１３は、相対予約ブロック期間（ＲＲＢＰ）１２９０の間のマシンタイプ通信（ＭＴＣ）デバイス１１０４によるデバイス確認応答の送信を示すブロック図である。一構成では、各デバイス確認応答は、パケット制御確認応答（ＰＣＡ）１２９１ａ〜ｄであってよい。フレーム０  １２９２ａの間、第１のマシンタイプ通信（ＭＴＣ）デバイス１１０４ａのためのパケット制御確認応答（ＰＣＡ）１２９１ａが送信される。フレーム１  １２９２ｂの間、第２のマシンタイプ通信（ＭＴＣ）デバイス１１０４ｂのためのパケット制御確認応答（ＰＣＡ）１２９１ｂが送信される。フレーム２  １２９２ｃの間、第３のマシンタイプ通信（ＭＴＣ）デバイス１１０４ｃのためのパケット制御確認応答（ＰＣＡ）１２９１ｃが送信される。フレーム３  １２９２ｄの間、第４のマシンタイプ通信（ＭＴＣ）デバイス１１０４ｄのためのパケット制御確認応答（ＰＣＡ）１２９１ｄが送信される。
【００９９】
基地局１１０２は、各マシンタイプ通信（ＭＴＣ）デバイス１１０４のデバイス確認応答があると予測すべきフレーム１２９２を知っているので、基地局１１０２は、どのデバイス確認応答が各マシンタイプ通信（ＭＴＣ）デバイス１１０４に対応するかを知っている。したがって、どのマシンタイプ通信（ＭＴＣ）デバイス１１０４から各パケット制御確認応答（ＰＣＡ）１２９１が送られたかを特定することは、各ＰＣＡ  １２９１に対して必要ではない。示される例では、相対予約ブロック期間（ＲＲＢＰ）１２９０は、マシンタイプ通信（ＭＴＣ）デバイス１１０４の各々に対して同じである。他の構成では、相対予約ブロック期間（ＲＲＢＰ）１２９０は、各マシンタイプ通信（ＭＴＣ）デバイス１１０４に対して同じでなくてもよい。
【０１００】
基地局１１０２によって送信された相対予約ブロック期間（ＲＲＢＰ）確認応答メッセージ１１６３は、デバイス確認応答メッセージが送信されるべき方式を示すことができる。そして、マシンタイプ通信（ＭＴＣ）デバイス１１０４は、アクセスバーストモードまたはノーマルバーストモード（両方とも、無線ブロック全体が、各マシンタイプ通信（ＭＴＣ）デバイス１１０４の各デバイス確認応答のために使用されることを必要とする）を伴う従来の方法のうちの１つの代わりに、示された方法をどのように使用するかを知る。この示すことは、たとえば、デバイス確認応答が単一のバーストを使用してマシンタイプ通信（ＭＴＣ）デバイス１１０４から提供されるべきであることを示す、相対予約ブロック期間（ＲＲＢＰ）確認応答メッセージ１１６３の中の明確なフラグまたは命令であり得る。
【０１０１】
単一バーストモードは、ＧＰＲＳ  Ｃｅｌｌ  Ｏｐｔｉｏｎｓ情報要素（３ＧＰＰ  ＴＳ  ４４．０６０  ｓｅｃｔｉｏｎ  １２．２４）を伴う、ブロードキャストメッセージＳＹＳＴＥＭ  ＩＮＦＯＲＭＡＴＩＯＮ  ＴＹＰＥ  １３の中のフィールドを有することによって、達成され得る。リリースｘの拡張が、以下のサンプルコードを使用して追加され得る。
【数１】
0005579942.tif 000002
【０１０２】
ＡＣＣＥＳＳ  ＢＵＲＳＴ  ＬＥＮＧＴＨフィールドが存在しない場合、基地局１１０２は、４つのアクセスバーストを使用してパケット制御確認応答（ＰＣＡ）を送ることができる。ＡＣＣＥＳＳ  ＢＵＲＳＴ  ＬＥＮＧＴＨフィールドが存在する場合、０という値は、パケット制御確認応答（ＰＣＡ）が１つのアクセスバーストを使用して送られることを示すが、１という値は、パケット制御確認応答（ＰＣＡ）が２つのアクセスバーストを使用して送られることを示す。
【０１０３】
図１４は、基地局１４０２から複数のマシンタイプ通信（ＭＴＣ）デバイス１４０４ａ〜ｎへの復号された最終的な確認応答リスト１４６４の送信を示すブロック図である。復号された最終的な確認応答リスト１４６４は、各マシンタイプ通信（ＭＴＣ）デバイス１４０４からのＲＬＣデータブロックが、基地局１４０２による受信に成功したことを、裏付けることができる。復号された最終的な確認応答リスト１４６４は、１４個のマシンタイプ通信（ＭＴＣ）デバイス１４０４（すなわち、ＭＴＣ１〜ＭＴＣ１４  １４０４ａ〜ｎ）のためのパケットアップリンクＡｃｋ／Ｎａｃｋ（ＰＵＡＮ）メッセージ１４６５を使用して送信され得る。
【０１０４】
各マシンタイプ通信（ＭＴＣ）デバイス１４０４の確認応答は、特定の相対予約ブロック期間（ＲＲＢＰ）１２９０と関連付けられる。たとえば、ＲＲＢＰA+1は、ＭＴＣ３と、ＭＴＣ６と、ＭＴＣ１６と、ＭＴＣ１１とを含む確認応答グループに割り当てられている。
【０１０５】
復号された最終的な確認応答リスト１４６４内の確認応答の順序は、各マシンタイプ通信（ＭＴＣ）デバイス１４０４がデバイス確認応答メッセージを送信すべき特定のフレームを決定するために、各マシンタイプ通信（ＭＴＣ）デバイス１４０４によって使用され得る。より具体的には、復号された最終的な確認応答リスト１４６４内で、特定の相対予約ブロック期間（ＲＲＢＰ）１２９０に割り当てられたマシンタイプ通信（ＭＴＣ）デバイス１４０４は、その相対予約ブロック期間（ＲＲＢＰ）１２９０と関連付けられる確認応答グループを形成する。確認応答グループのマシンタイプ通信（ＭＴＣ）デバイス１４０４のリストの順序は、確認応答グループ中のマシンタイプ通信（ＭＴＣ）デバイス１４０４がそれぞれのデバイス確認応答メッセージを送信すべき、確認応答グループと関連付けられる相対予約ブロック期間（ＲＲＢＰ）１２９０のフレームを決定する。これは、図１９〜図２２に関連して、以下でさらに詳細に論じられる。
【０１０６】
デバイス確認応答メッセージが送られる順序は、たとえば、マシンタイプ通信（ＭＴＣ）デバイス１４０４のアドレスに基づくアルファベットまたは数字の順番ではなく、確認応答グループ内での各マシンタイプ通信（ＭＴＣ）デバイス１４０４の位置と、他の相対予約ブロック期間（ＲＲＢＰ）１２９０に対するグループの関連付けられる相対予約ブロック期間（ＲＲＢＰ）１２９０の位置とに基づく。
【０１０７】
実用上の理由で、マシンタイプ通信（ＭＴＣ）デバイス１４０４に割り当てられる相対予約ブロック期間（ＲＲＢＰ）１２９０は、復号された最終的な確認応答リスト１４６４の最初の８個のエントリーで示されるように、マシンタイプ通信（ＭＴＣ）デバイス１４０４の順序付けられたリストにおいて順次的であり暗示的である可能性が高い。さらに、復号された最終的な確認応答リスト１４６４において、マシンタイプ通信（ＭＴＣ）デバイス１４０４を数値的な順序（ＭＴＣ１、ＭＴＣ２、ＭＴＣ３など）で並べるのが実用的であろう。わずかな調整によって、代わりに、非順次的な相対予約ブロック期間（ＲＲＢＰ）１２９０が使用され得る。「非順次的」とは、固定されていること（たとえば、相対予約ブロック期間（ＲＲＢＰ）１２９０のオフセットの所定のセットによって）、または可変であること（パケットアップリンクＡｃｋ／Ｎａｃｋ（ＰＵＡＮ）メッセージ１４６５において、明確な相対予約ブロック期間（ＲＲＢＰ）１２９０または相対予約ブロック期間（ＲＲＢＰ）１２９０のオフセットを識別するという意味で）を意味し得る。相対予約ブロック期間（ＲＲＢＰ）１２９０が可変である場合、相対予約ブロック期間（ＲＲＢＰ）１２９０またはオフセットを規定することは、パケットアップリンクＡｃｋ／Ｎａｃｋ（ＰＵＡＮ）メッセージ１４６５中でより多くのビットを使用し、このことは、アドレス指定され得るマシンタイプ通信（ＭＴＣ）デバイス１４０４の数を減らし得る。
【０１０８】
図１５は、第１の相対予約ブロック期間（ＲＲＢＰ）１２９０  ＲＲＢＰAの間の、複数のマシンタイプ通信（ＭＴＣ）デバイス１５０４ａ、１５０４ｈ、１５０４ｄ、１５０４ｅから基地局１５０２への、デバイス確認応答メッセージの送信を示すブロック図である。デバイス確認応答は、パケット制御確認応答（ＰＣＡ）１５９３ａ〜ｄとして送信され得る。ＲＲＢＰAのフレーム０の間、ＭＴＣ１  １５０４ａは、パケット制御確認応答（ＰＣＡ）１５９３ａを基地局１５０２へ送信することができる。ＲＲＢＰAのフレーム１の間、ＭＴＣ９  １５０４ｈは、パケット制御確認応答（ＰＣＡ）１５９３ｂを基地局１５０２へ送信することができる。ＲＢＢＰAのフレーム２の間、ＭＴＣ４  １５０４ｄは、パケット制御確認応答（ＰＣＡ）１５９３ｃを基地局１５０２へ送信することができる。ＲＢＢＰAのフレーム３の間、ＭＴＣ５  １５０４ｅは、パケット制御確認応答（ＰＣＡ）１５９３ｄを基地局１５０２へ送信することができる。
【０１０９】
図１６は、第２の相対予約ブロック期間（ＲＲＢＰ）１２９０  ＲＲＢＰA+1の間の、複数のマシンタイプ通信（ＭＴＣ）デバイス１６０４ｃ、１６０４ｆ、１６０４ｌ、１６０４ｊから基地局１６０２への、デバイス確認応答メッセージの送信を示すブロック図である。デバイス確認応答は、パケット制御確認応答（ＰＣＡ）１６９３ａ〜ｄとして送信され得る。ＲＲＢＰA+1のフレーム０の間、ＭＴＣ３  １６０４ｃは、パケット制御確認応答（ＰＣＡ）１６９３ａを基地局１６０２へ送信することができる。ＲＲＢＰA+1のフレーム１の間、ＭＴＣ６  １６０４ｆは、パケット制御確認応答（ＰＣＡ）１６９３ｂを基地局１６０２へ送信することができる。ＲＲＢＰA+1のフレーム２の間、ＭＴＣ１３  １６０４ｌは、パケット制御確認応答（ＰＣＡ）１６９３ｃを基地局１６０２へ送信することができる。ＲＲＢＰA+1のフレーム３の間、ＭＴＣ１１  １６０４ｊは、パケット制御確認応答（ＰＣＡ）１６９３ｄを基地局１６０２へ送信することができる。
【０１１０】
図１７は、第３の相対予約ブロック期間（ＲＲＢＰ）１２９０  ＲＲＢＰA+2の間の、複数のマシンタイプ通信（ＭＴＣ）デバイス１７０４ｇ、１７０４ｂ、１７０４ｍ、１７０４ｉから基地局１７０２への、デバイス確認応答メッセージの送信を示すブロック図である。デバイス確認応答は、パケット制御確認応答（ＰＣＡ）１７９３ａ〜ｄとして送信され得る。ＲＲＢＰA+2のフレーム０の間、ＭＴＣ８  １７０４ｇは、パケット制御確認応答（ＰＣＡ）１７９３ａを基地局１７０２へ送信することができる。ＲＲＢＰA+2のフレーム１の間、ＭＴＣ２  １７０４ｂは、パケット制御確認応答（ＰＣＡ）１７９３ｂを基地局１７０２へ送信することができる。ＲＲＢＰA+2のフレーム２の間、ＭＴＣ１４  １７０４ｍは、パケット制御確認応答（ＰＣＡ）１７９３ｃを基地局１７０２へ送信することができる。ＲＲＢＰA+2のフレーム３の間、ＭＴＣ１０  １７０４ｉは、パケット制御確認応答（ＰＣＡ）１７９３ｄを基地局１７０２へ送信することができる。
【０１１１】
図１８は、第４の相対予約ブロック期間（ＲＲＢＰ）１２９０  ＲＲＢＰA+3の間の、複数のマシンタイプ通信（ＭＴＣ）デバイス１８０４ｇ、１８０４ｋから基地局１８０２への、デバイス確認応答メッセージの送信を示すブロック図である。デバイス確認応答は、パケット制御確認応答（ＰＣＡ）１８９３ａ〜ｂとして送信され得る。ＲＲＢＰA+3のフレーム０の間、ＭＴＣ７  １８０４ｇは、パケット制御確認応答（ＰＣＡ）１８９３ａを基地局１８０２へ送信することができる。ＲＲＢＰA+3のフレーム１の間、ＭＴＣ１２  １８０４ｋは、パケット制御確認応答（ＰＣＡ）１８９３ｂを基地局１８０２へ送信することができる。
【０１１２】
図１９は、第１のコーディングオプションを使用した、複数のワイヤレス通信デバイス１０４によるデバイス確認応答メッセージの送信を示すブロック図である。ネットワークからのパケットアップリンクＡｃｋ／Ｎａｃｋ（ＰＵＡＮ）メッセージ１４６５が、任意のアドレス指定されたワイヤレス通信デバイス１０４に対して、返答のパケット制御確認応答（ＰＣＡ）が送信されるべき特定の相対予約ブロック期間（ＲＲＢＰ）１２９０および／またはバーストを示すことができる、いくつかの方法がある。パケットアップリンクＡｃｋ／Ｎａｃｋ（ＰＵＡＮ）メッセージ１４６５（第１のコーディングオプション）の一例が、以下のサンプルコードで示されている。新しいコード（標準的なコードに対する）が、太字で強調されている。
【数２−１】
0005579942.tif 000003
【数２−２】
0005579942.tif 000004
【数２−３】
0005579942.tif 000005
【数２−４】
0005579942.tif 000006
【数２−５】
0005579942.tif 000007
【０１１３】
第１のコーディングオプションにおいて、パケットアップリンクＡｃｋ／Ｎａｃｋ（ＰＵＡＮ）メッセージ１４６５は、各々のアドレス指定されたモバイル通信デバイス１０４が、パケットアップリンクＡｃｋ／Ｎａｃｋ（ＰＵＡＮ）メッセージ１４６５が受信された無線ブロックに対する特定の無線ブロックにおいて、パケット制御確認応答（ＰＣＡ）の形式でポーリング応答を送るべきであることを示す。パケットアップリンクＡｃｋ／Ｎａｃｋ（ＰＵＡＮ）メッセージ１４６５はまた、各ワイヤレス遠隔通信デバイス１０４に対して、パケット制御確認応答（ＰＣＡ）が、無線ブロックとして送られるべきか、示された無線ブロック内の単一のバーストとして送られるべきかを示す。
【０１１４】
絶対フレーム番号は、表１を使用して、相対予約ブロック期間（ＲＲＢＰ）１２９０に基づいて計算される。
【表１】
0005579942.tif 000008
【０１１５】
特定のワイヤレス通信デバイス１０４は、そのデバイス１０４がパケット制御確認応答（ＰＣＡ）メッセージを送信すべき開始フレーム番号を、式（１）を使用して決定する。
【数３】
0005579942.tif 000009
【０１１６】
式（１）において、ＦＮPUANは、パケットアップリンクＡｃｋ／Ｎａｃｋ（ＰＵＡＮ）メッセージ１４６５が送信された相対予約ブロック期間（ＲＲＢＰ）１２９０である。また式（１）において、［ＲＲＢＰ］は、フレーム番号に変換されあらゆるアイドルフレームを考慮した、ＦＮPUANに加算すべき無線ブロックの数である。一構成では、加算すべき無線ブロックの数は、２ビットの値によって示される。さらに、式（１）において、［Ｆｒａｍｅｓ  Ｕｓｅｄ］は、同じパケットアップリンクＡｃｋ／Ｎａｃｋ（ＰＵＡＮ）メッセージ１４６５内で前にアドレス指定され、決定を実行するワイヤレス通信デバイス１０４と同じ相対予約ブロック期間（ＲＲＢＰ）１２９０で確認応答を送るように命令された、他のワイヤレス通信デバイス１０４によって使用されるフレームの総数である。この数は、パケットアップリンクＡｃｋ／Ｎａｃｋ（ＰＵＡＮ）メッセージ１４６５が受信および復号されると、各ワイヤレス通信デバイス１０４によって計算される。
【０１１７】
一構成では、マシンタイプ通信（ＭＴＣ）デバイス１１０４は、２つの（連続的な）アクセスバーストとしてデバイス確認応答を送信するように命令され得る。これは、図２１および図２２に関連して、以下でさらに詳細に論じられる。２つの（連続的な）アクセスバーストとしてデバイス確認応答を送信することによって、冗長性が向上し、これにより単一のアクセスバーストと比較して容量が減る。ただし、性能は、従来（ノーマルバーストモードまたはアクセスバーストモード）の挙動と比較して改善される。基地局１１０２からの相対予約ブロック期間（ＲＢＲＰ）確認応答メッセージ１１６３は、各マシンタイプ通信（ＭＴＣ）デバイス１１０４が、１個のバーストを使用したアクセスバーストフォーマットでデバイス確認応答を送信すべきか、２個のバーストを使用したアクセスバーストフォーマットでデバイス確認応答を送信すべきか、または４個のバーストを使用したアクセスバーストフォーマットでデバイス確認応答を送信すべきかを示すことができる（４個のバーストは従来の挙動の一形式に対応する）。
【０１１８】
図１９では、パケットアップリンクＡｃｋ／Ｎａｃｋ（ＰＵＡＮ）メッセージ１４６５は、アドレス指定されたワイヤレス通信デバイス１０４の順序付けられたリストを含み得る。ＭＴＣ１  １４０４ａは、［ＲＲＢＰ］＝０の無線ブロックに対してポーリングされてよく、ＭＴＣ２  １４０４ｂは、［ＲＲＢＰ］＝１の１つのバーストに対してポーリングされてよく、ＭＴＣ３  １４０４ｃはポーリングされなくてよく、ＭＴＣ４  １４０４ｄは、［ＲＲＢＰ］＝１の１つのバーストに対してポーリングされてよく、ＭＴＣ５  １４０５ｅは、［ＲＲＢＰ］＝２の１つの無線ブロックに対してポーリングされてよい。ＭＴＣ１  １４０４ａは、［ＦＮPUAN］＝０の完全な無線ブロックとして、パケット制御確認応答（ＰＣＡ）を送るように命令され得る。したがって、ＭＴＣ１  １４０４ａは、フレームｎからフレームｎ＋３の間（ＭＴＣ１ポーリング応答ブロック１９９４ａと呼ばれる）に、デバイス確認応答メッセージを送信することができる。この動作は、関係する３ＧＰＰ規格に従う。
【０１１９】
ＭＴＣ２  １４０４ｂは、パケットアップリンクＡｃｋ／Ｎａｃｋ（ＰＵＡＮ）メッセージ１４６５の順序付けられたリストにおいて次にあり得る。ＭＴＣ２  １４０４ｂは、［ＲＲＢＰ］＝１の単一アクセスバーストとして、パケット制御確認応答（ＰＣＡ）メッセージを送信するように命令され得る。したがって、ＭＴＣ２  １４０４ｂは、フレームｎ＋４の間（ＭＴＣ２ポーリング応答フレーム１９９４ｂと呼ばれる）に、デバイス確認応答メッセージを送信することができ、フレームｎ＋４は、ＦＮPUANに続く無線ブロックから１だけオフセットされた無線ブロックの最初の利用可能なフレームである。
【０１２０】
ＭＴＣ４  １４０４ｄは、パケットアップリンクＡｃｋ／Ｎａｃｋ（ＰＵＡＮ）メッセージ１４６５の順序付けられたリストにおいて次にあり得る（ＭＴＣ２  １４０４ｂは、順序付けられたリスト１４６４においてＭＴＣ４  １４０４ｄよりも高いので）。ＭＴＣ４  １４０４ｄはまた、［ＲＲＢＰ］＝１の単一アクセスバーストとして、パケット制御確認応答（ＰＣＡ）メッセージを送信するように命令され得る。したがって、ＭＴＣ４  １４０４ｄは、フレームｎ＋５の間（ＭＴＣ４ポーリング応答フレーム１９９４ｃと呼ばれる）にデバイス確認応答メッセージを送信することができ、フレームｎ＋５は、ＭＴＣ２  １４０４ｂがフレームｎ＋４でパケット制御確認応答（ＰＣＡ）メッセージを送信した後で利用可能な最初のフレームである。
【０１２１】
ＭＴＣ５  １４０４ｅは、ＭＴＣ５  １４０４ｅが、［ＲＲＢＰ］＝２の完全な無線ブロックとして、パケット制御確認応答（ＰＣＡ）メッセージを送信すべきであると決定することができる。無線ブロックの後半には２つのフリーのフレーム（すなわち、フレームｎ＋６およびフレームｎ＋７）があるが、４つのフレームを使用したパケット制御確認応答（ＰＣＡ）メッセージの送信は、パケット制御確認応答（ＰＣＡ）メッセージが異なる無線ブロックにわたって分散すべきではない場合、無線ブロック全体を必要とし得る。異なる無線ブロックにわたってパケット制御確認応答（ＰＣＡ）メッセージを分散させることは技術的に可能であるが、２つ以上のフレームがパケット制御確認応答（ＰＣＡ）メッセージに対して必要とされる場合にそれらのフレームが同じ無線ブロック中にあるべきであることを選好する、実用上の理由がある。したがって、ＭＴＣ５  １０４ｅは、フレームｎ＋９からフレームｎ＋１２の間（ＭＴＣ５ポーリング応答ブロック１９９４ｄと呼ばれる）に、デバイス確認応答メッセージを送信することができる。アイドルフレームは、フレームｎ＋８の間に発生し得る。
【０１２２】
図２０は、第２のコーディングオプションを使用した、複数のワイヤレス通信デバイス１０４によるデバイス確認応答メッセージの送信を示す。パケットアップリンクＡｃｋ／Ｎａｃｋ（ＰＵＡＮ）メッセージ１４６５（第２のコーディングオプション）の別の例が、以下のサンプルコードで示されている。新しいコード（標準的なコードに対する）が、太字で強調されている。
【数４−１】
0005579942.tif 000010
【数４−２】
0005579942.tif 000011
【数４−３】
0005579942.tif 000012
【数４−４】
0005579942.tif 000013
【数４−５】
0005579942.tif 000014
【０１２３】
第２のコーディングオプションにおいて、「アクセスバーストの数：ｂｉｔ（１）」は次のように解釈される。０−ワイヤレス通信デバイスは１つのアクセスバーストとして確認応答を送るべき
１−ワイヤレス通信デバイスは２つの連続的なアクセスバーストとして確認応答を送るべき
第２のコーディングオプションを使用して、デバイス確認応答（パケット制御確認応答（ＰＣＡ）メッセージの形式の）が送られるべき開始フレームが、式（２）を使用して計算される。
【数５】
0005579942.tif 000015
【０１２４】
式（２）において、ＦＮPUANは、基地局１４０２によって送信される確認応答メッセージ（ＰＵＡＮ）を格納する、無線ブロックの最初のフレームのフレーム番号である。
【０１２５】
また、式（２）において、［ｂａｓｅ  ＲＲＢＰ］は、すべてのアドレス指定されたデバイスに共通であり、ＦＮPUANに加算すべきフレームの数である。式（２）において、［ｂａｓｅ  ＲＲＢＰ］は、ＭＡＣヘッダにおいて定義される。好ましくは、フレームの数は、示された数の無線ブロックを変換することによって決定される。この例では、加算すべき無線ブロックの数は、２ビットの値によって示される。
【０１２６】
式（２）において、［Ｆｒａｍｅｓ  Ｕｓｅｄ］は、同じパケットアップリンクＡｃｋ／Ｎａｃｋ（ＰＵＡＮ）メッセージ１４６５内で前にアドレス指定され確認応答を送るように命令された、他のワイヤレス通信デバイス１０４によって使用されるフレームの総数である。この数は、パケットアップリンクＡｃｋ／Ｎａｃｋ（ＰＵＡＮ）メッセージ１４６５が受信および復号されると、各ワイヤレス通信デバイス１０４によって計算される。また、式（２）において、［Ｉｄｌｅ  ｆｒａｍｅｓ］は、その間にモバイル通信デバイス１０４が送信できないアイドルフレームを計算に入れるための調整である。式（２）において、［Ａｌｉｇｎｍｅｎｔ］は、第１のワイヤレス通信デバイス１０４が確認応答を送信する無線ブロックの最初のフレームが、相対予約ブロック期間（ＲＲＢＰ）１２９０の最初のフレームと揃っていることを確実にするための、調整である。たとえば、４つのフレームを必要とするメッセージは、無線ブロックの最初のフレームと揃えられ、一方２つのフレームしか必要としないメッセージは、無線ブロックの３番目のフレームと揃えられる。そのような整列によって、メッセージが２つ以上の無線ブロックを占有しないことが確実になる。
【０１２７】
正確な計算は、好ましい実装形態に応じてわずかに変化し得る。相対予約ブロック期間（ＲＲＢＰ）１２９０は、すべてのＲＬＣ／ＭＡＣ無線ブロックで送られる。Ｅ／ＳＰビットは無視される。（さらなる詳細については３ＧＰＰ  ＴＳ  ４４．０６０  ｓｅｃｔｉｏｎ  １０．４．５を参照。）
図２０〜図２２は、使用時の第２のコーディングオプションの例を示す。これらの例は、パケットアップリンクＡｃｋ／Ｎａｃｋ（ＰＵＡＮ）メッセージ１４６５が、アドレス指定されたワイヤレス通信デバイス１０４に、パケット制御確認応答（ＰＣＡ）を送るようにどのように命令できるかを説明する。
【０１２８】
図２０によって示される例では、パケットアップリンクＡｃｋ／Ｎａｃｋ（ＰＵＡＮ）メッセージ１４６５は、すべてのアドレス指定されたワイヤレス通信デバイス１０４が、無線ブロックフォーマットのパケット制御確認応答（ＰＣＡ）メッセージによって（つまり、相対予約ブロック期間（ＲＲＢＰ）１２９０のすべての４つのフレーム／バーストを使用して）、または、４つのアクセスバースト中のＰＣＡメッセージによって（すなわち、相対予約ブロック期間（ＲＲＢＰ）１２９０内の連続するフレームにおいて同じパケット制御確認応答（ＰＣＡ）メッセージを４回送ることによって）、応答すべきであることを示す。ＭＴＣ１  １４０４ａ、ＭＴＣ２  １４０４ｂ、ＭＴＣ４  １４０４ｄおよびＭＴＣ５  １４０５ｅが、ポーリングされる（一方ＭＴＣ３  １４０４ｃはポーリングされない）。これによって、ＭＴＣ１  １４０４ａ、ＭＴＣ２  １４０４ｂ、ＭＴＣ４  １４０４ｄ、およびＭＴＣ５  １４０４ｅは、デバイス確認応答（パケット制御確認応答（ＰＣＡ）メッセージのような）の形式で応答を送信するようになり、各パケット制御確認応答（ＰＣＡ）は、複数の連続する無線ブロックの１つにおいて送信される。ＭＴＣ５  １４０４ｅは、ＭＴＣ４  １０４ｄがデバイス確認応答メッセージを送信するとき、無線ブロックに続くアイドルフレームを考慮する必要があり得る。ＭＴＣ１  １４０４ａ、ＭＴＣ２  １４０４ｂ、ＭＴＣ４  １４０４ｄ、およびＭＴＣ５  １４０４ｅは、それらがデバイス確認応答を送信するフレームを決定するために、同じ基本的な相対予約ブロック期間（ＲＲＢＰ）１２９０を使用することができる。
【０１２９】
ＭＴＣ１  １４０４ａは、フレームｎからフレームｎ＋３の間（ＭＴＣ１ポーリング応答ブロック２０９４ａと呼ばれる）に、デバイス確認応答メッセージを送信することができる。ＭＴＣ２  １４０４ｂは、フレームｎ＋４からフレームｎ＋７の間（ＭＴＣ２ポーリング応答ブロック２０９４ｂと呼ばれる）に、デバイス確認応答メッセージを送信することができる。ＭＴＣ４  １４０４ｄは、フレームｎ＋８からフレームｎ＋１１の間（ＭＴＣ４ポーリング応答ブロック２０９４ｃと呼ばれる）に、デバイス確認応答メッセージを送信することができる。ＭＴＣ５  １４０４ｅは、フレームｎ＋１３からフレームｎ＋１６の間（ＭＴＣ５ポーリング応答ブロック２０９４ｄと呼ばれる）に、デバイス確認応答メッセージを送信することができる。
【０１３０】
図２１は、第２のコーディングオプションを使用した、複数のワイヤレス通信デバイス１０４によるデバイス確認応答メッセージの送信を示す別のブロック図である。この例では、パケットアップリンクＡｃｋ／Ｎａｃｋ（ＰＵＡＮ）メッセージ１４６５は、各々のアドレス指定されたワイヤレス通信デバイス１０４からのパケット制御確認応答（ＰＣＡ）メッセージが、無線ブロックのすべての４つのフレームを使用すべき（すなわち、順次的なフレームで送信される４つの繰り返される確認応答を含む、ノーマルバーストモードまたはアクセスバーストモードで送られるべき）か、１つまたは２つの順次的なアクセスバーストを使用するアクセスバーストモードを使用すべきかを示す。
【０１３１】
図２１では、ＭＴＣ１  １４０４ａは無線ブロックについてポーリングされ、ＭＴＣ２  １４０４ｂは１つのバーストについてポーリングされ、ＭＴＣ３  １４０４ｃはポーリングされず、ＭＴＣ４  １４０４ｄは２つのバーストについてポーリングされ、ＭＴＣ５  １４０４ｅは２つのバーストについてポーリングされる。ＭＴＣ１  １４０４ａは、フレームｎからフレームｎ＋３の（ＭＴＣ１ポーリング応答フレーム２１９４ａと呼ばれる）を含む第１の無線ブロックを使用して、デバイス確認応答メッセージを送信することができる。ＭＴＣ２  １４０４ｂは、フレームｎ＋４（ＭＴＣ２ポーリング応答フレーム２１９４ｂと呼ばれる）を使用して、デバイス確認応答メッセージを送信することができる。
【０１３２】
一般に、特定のパケットアップリンクＡｃｋ／Ｎａｃｋ（ＰＵＡＮ）メッセージ１４６５が、ワイヤレス通信デバイス１０４が２つのアクセスバーストのフォーマットでパケット制御確認応答（ＰＣＡ）メッセージを送るべきであることを示す場合、そのパケット制御確認応答（ＰＣＡ）メッセージは、同じ無線ブロック内の２つの連続するバーストにおいて送られるべきである。ワイヤレス通信デバイス１０４が送信を開始するフレームは、上で説明されたように決定される。２つのアクセスバーストは、無線ブロックの最初の２つのフレームと最後の２つのフレームのいずれかで送られ得る。言い換えると、２つのアクセスバーストが必要である場合、ワイヤレス通信デバイス１０４は、それらのアクセスバーストを、２つの中央のフレームで、または隣接する無線ブロックをつなぐフレームで（すなわち、ある無線ブロックの最後のアクセスバーストと２番目の無線ブロックの最初のアクセスバーストとを使用して）送信しない。図２１では、ＭＴＣ４  １４０４ｄは、２つのアクセスバーストについてポーリングされている。ＭＴＣ２  １４０４ｂは、単一のアクセスバーストのみを使用してパケット制御確認応答（ＰＣＡ）メッセージを送るように命令されたので、この単一のアクセスバーストは、無線ブロックの開始において（すなわち、フレームｎ＋４で）送信され、無線ブロックの第２のフレーム（すなわち、フレームｎ＋５）は使用されずに残される。ＭＴＣ４  １４０４ｄは次いで、無線ブロックの第３および第４のフレーム（すなわち、フレームｎ＋６およびフレームｎ＋７）（ＭＴＣ４ポーリング応答フレーム２１９４ｃと呼ばれる）で送信することができる。
【０１３３】
アイドルフレーム（フレームｎ＋８）に続いて、ＭＴＣ５  １４０４ｅは、後続の無線ブロック（ＭＴＣ５ポーリング応答フレーム２１９４ｄと呼ばれる）の最初の２つのフレーム（フレームｎ＋９およびフレームｎ＋１０）で、デバイス確認応答メッセージを送信する。１つのワイヤレス通信デバイス１０４からのアクセスバーストが連続的であり、無線ブロックの開始と終了のいずれかにある理由は、ＥＤＧＥ規格の下での低減された送信時間間隔（ＲＴＴＩ）方式に、サブフレームの使用法を合わせるためである。ＲＴＴＩ方式の下では、サブフレームは、無線ブロックの最初または最後の２つのフレームを含む。
【０１３４】
図２２は、第２のコーディングオプションを使用した、複数のワイヤレス通信デバイス１０４によるデバイス確認応答メッセージの送信を示すさらに別のブロック図である。図２２に示される例では、特定の無線ブロックにおいて送信されるべきすべてのデバイス確認応答メッセージが、その無線ブロックへと順次的に詰められ得る。この方式の下では、あらゆる使用されていないフレームは、無線ブロックの終わりに配置されることになる。
【０１３５】
ＭＴＣ１  １４０４ａは、フレームｎからフレームｎ＋３（ＭＴＣ１ポーリング応答ブロック２２９４ａと呼ばれる）を含む第１の無線ブロックを使用して、デバイス確認応答メッセージを送信することができる。ＭＴＣ２  １４０４ｂは、フレームｎ＋４（ＭＴＣ２ポーリング応答フレーム２２９４ｂと呼ばれる）を使用して、デバイス確認応答メッセージを送信することができる。ＭＴＣ４  １４０４ｄは、フレームｎ＋６まで待機するのではなく、フレームｎ＋５で開始する２フレームのデバイス確認応答メッセージを送信する。したがって、ＭＴＣ４  １４０４ｄは、ＭＴＣ４ポーリング応答フレーム２２９４ｃの間に送信する。これにより、無線ブロックの終わりにおいてフレームｎ＋７が使用されないままになる。
【０１３６】
特定の無線ブロック内に、特定のワイヤレス通信デバイス１０４からのデバイス確認応答メッセージを表すすべてのバーストを搬送するのに十分な空間がない場合、バーストは、（あらゆる介在するアイドルフレームを考慮して）後続の無線ブロックに移される。（ＭＴＣ５  １４０４ｅの）次のデバイス確認応答メッセージは２つのフレームを必要とするので、次のデバイス確認応答メッセージは、ＭＴＣ２  １４０４ｂおよびＭＴＣ４  １４０４ｄがそれぞれのデバイス確認応答メッセージを送信した無線ブロックの残りのフレームに、入ることができない。したがって、ＭＴＣ５  １４０４ｅは、次の無線ブロックの最初のフレーム（フレームｎ＋９）で開始するデバイス確認応答メッセージを送信する。したがって、ＭＴＣ５  １４０４ｅは、ＭＴＣ５ポーリング応答フレーム２２９４ｄの間に、デバイス確認応答メッセージを送信する。
【０１３７】
パケット制御確認応答（ＰＣＡ）を送信するための特定の方式は、実装され得るものの例にすぎないことが、当業者には理解されよう。たとえば、規格の観点からは望ましくないが、特定のデバイス確認応答に使用されるアクセスバーストが隣接する無線ブロックにわたってはならない論理的な理由はない。
【０１３８】
デバイス確認応答メッセージのタイミングおよびフォーマットはネットワークによって決定されるので、フレームの使用をインテリジェントに管理することが可能であることも、理解されよう。たとえば、確認応答に使用されない無線ブロックまたはフレームは、デバイス確認応答メッセージの送信と関連しない使用を含めて、他の使用のためにネットワークによってスケジューリングされ得る。
【０１３９】
上で説明された実施形態の利点は、デバイス確認応答メッセージがより少数のネットワークリソース（および特にシグナリングチャネル）を使用してワイヤレス通信デバイス１０４から送信されるのを可能にしつつ、他の目的のためにネットワークリソースをより早く解放するのも可能にすることである。一般に、単一の相対予約ブロック期間（ＲＲＢＰ）１２９０の間に複数のデバイスからデバイス確認応答メッセージを送信することによって実現されるリソース利用率の改善が、そのような方法におけるデータ冗長性の低下に起因するあらゆる他の可能性のある問題よりも重要であるという状況を判定するのは、基地局１０２およびネットワーク次第である。
【０１４０】
マシンタイプ通信（ＭＴＣ）デバイスは頻繁に静止し（この場合、デバイスと、それらの関連付けられる基地局との間のチャネル特性は良好に求められる）、同じ基地局１０２を常に使用し、しばしばバースト性のデータを送信するので、理論的にはＭＴＣデバイスが説明された手法から最大のものを得ることに留意されたい。しかし、方法がスマートフォンなどのような他のワイヤレス通信デバイス１０４に関連して適用された場合、特に、静止している場合または比較的低速で動いている場合にも、利点はあてはまり得る。したがって、本システムおよび方法は、マシンタイプ通信（ＭＴＣ）デバイスに関わるアプリケーションに何ら制約されず、任意の形式のワイヤレス通信デバイス１０４に適用され得ることに、留意されたい。
【０１４１】
大部分、説明された方法の１つを使用するという決定は、基地局１０２またはネットワークにおいて行われる。この決定は、たとえば、一時的か継続的かにかかわらず、ネットワーク条件に応答するものであり得る。
【０１４２】
図２３は、基地局２３０２内に含まれ得るいくつかのコンポーネントを示す。基地局２３０２は、アクセスポイント、ブロードキャスト送信機、ノードＢ、発展型ノードＢなどと呼ばれることもあり、それらの機能の一部またはすべてを含み得る。基地局２３０２はプロセッサ２３０３を含む。プロセッサ２３０３は、汎用シングルまたはマルチチップマイクロプロセッサ（たとえば、ＡＲＭ）、専用マイクロプロセッサ（たとえば、デジタル信号プロセッサ（ＤＳＰ））、マイクロコントローラ、プログラマブルゲートアレイなどであり得る。プロセッサ２３０３は、中央演算処理装置（ＣＰＵ）と呼ばれ得る。図２３の基地局２３０２中に単一のプロセッサ２３０３のみが示されるが、代替的な構成では、プロセッサの組合せ（たとえば、ＡＲＭとＤＳＰ）が使用され得る。
【０１４３】
基地局２３０２はメモリ２３０５も含む。メモリ２３０５は、電子情報を記憶することが可能な任意の電子コンポーネントであり得る。メモリ２３０５は、以下の組合せを含めて、ランダムアクセスメモリ（ＲＡＭ）、読取り専用メモリ（ＲＯＭ）、磁気ディスク記憶媒体、光記憶媒体、ＲＡＭ中のフラッシュメモリデバイス、プロセッサに含まれるオンボードメモリ、ＥＰＲＯＭメモリ、ＥＥＰＲＯＭメモリ、レジスタなどとして具現化され得る。
【０１４４】
データ２３０７ａおよび命令２３０９ａが、メモリ２３０５に記憶され得る。命令２３０９ａは、本明細書で開示される方法を実施するためにプロセッサ２３０３によって実行可能であり得る。命令２３０９ａを実行することは、メモリ２３０５に記憶されたデータ２３０７ａの使用を含み得る。プロセッサ２３０３が命令２３０９ａを実行すると、命令２３０９ｂの様々な部分がプロセッサ２３０３上にロードされてよく、様々ないくつかのデータ２３０７ｂがプロセッサ２３０３上にロードされてよい。
【０１４５】
基地局２３０２はまた、基地局２３０２への信号の送信および基地局２３０２からの信号の受信を可能にするために、送信機２３１１と受信機２３１３とを含み得る。送信機２３１１と受信機２３１３は、送受信機２３１５と総称されることがある。アンテナ２３１７は、送受信機２３１５に電気的に結合され得る。基地局２３０２はまた、複数の送信機、複数の受信機、複数の送受信機および／または追加のアンテナ（図示せず）を含み得る。
【０１４６】
基地局２３０２は、デジタル信号プロセッサ（ＤＳＰ）２３２１を含み得る。基地局２３０２は、通信インターフェース２３２３も含み得る。通信インターフェース２３２３は、ユーザが基地局２３０２と対話することを可能にし得る。
【０１４７】
基地局２３０２の様々なコンポーネントは、電力バス、制御信号バス、ステータス信号バス、データバスなどを含み得る、１つまたは複数のバスによって互いに結合され得る。明確にするために、図２３では、様々なバスはバスシステム２３１９として示される。
【０１４８】
図２４は、ワイヤレス通信デバイス２４０４内に含まれ得るいくつかのコンポーネントを示す。ワイヤレス通信デバイス２４０４は、アクセス端末、移動局、ユーザ装置（ＵＥ）、マシンタイプ通信（ＭＴＣ）デバイスなどであり得る。ワイヤレス通信デバイス２４０４は、プロセッサ２４０３を含む。プロセッサ２４０３は、汎用シングルまたはマルチチップマイクロプロセッサ（たとえば、ＡＲＭ）、専用マイクロプロセッサ（たとえば、デジタル信号プロセッサ（ＤＳＰ））、マイクロコントローラ、プログラマブルゲートアレイなどであり得る。プロセッサ２４０３は、中央演算処理装置（ＣＰＵ）と呼ばれ得る。図２４のワイヤレス通信デバイス２４０４中に単一のプロセッサ２４０３のみが示されるが、代替的な構成では、プロセッサの組合せ（たとえば、ＡＲＭとＤＳＰ）が使用され得る。
【０１４９】
ワイヤレス通信デバイス２４０４は、メモリ２４０５も含む。メモリ２４０５は、電子情報を記憶することが可能な任意の電子コンポーネントであり得る。メモリ２４０５は、以下の組合せを含めて、ランダムアクセスメモリ（ＲＡＭ）、読取り専用メモリ（ＲＯＭ）、磁気ディスク記憶媒体、光記憶媒体、ＲＡＭ中のフラッシュメモリデバイス、プロセッサに含まれるオンボードメモリ、ＥＰＲＯＭメモリ、ＥＥＰＲＯＭメモリ、レジスタなどとして具現化され得る。
【０１５０】
データ２４０７ａおよび命令２４０９ａは、メモリ２４０５に記憶され得る。命令２４０９ａは、本明細書で開示される方法を実施するためにプロセッサ２４０３によって実行可能であり得る。命令２４０９ａを実行することは、メモリ２４０５に記憶されたデータ２４０７ａの使用を含み得る。プロセッサ２４０３が命令２４０９を実行すると、命令２４０９ｂの様々な部分がプロセッサ２４０３上にロードされてよく、様々ないくつかのデータ２４０７ｂがプロセッサ２４０３上にロードされてよい。
【０１５１】
ワイヤレス通信デバイス２４０４はまた、アンテナ２４１７を介したワイヤレス通信デバイス２４０４への信号の送信およびワイヤレス通信デバイス２４０４からの信号の受信を可能にするために、送信機２４１１と受信機２４１３とを含んでもよい。送信機２４１１と受信機２４１３は、送受信機２４１５と総称されることがある。ワイヤレス通信デバイス２４０４は、複数の送信機、複数のアンテナ、複数の受信機および／または複数の送受信機（図示せず）も含み得る。
【０１５２】
ワイヤレス通信デバイス２４０４は、デジタル信号プロセッサ（ＤＳＰ）２４２１を含み得る。ワイヤレス通信デバイス２４０４は、通信インターフェース２４２３も含み得る。通信インターフェース２４２３は、ユーザがワイヤレス通信デバイス２４０４と対話することを可能にし得る。
【０１５３】
ワイヤレス通信デバイス２４０４の様々なコンポーネントは、電力バス、制御信号バス、ステータス信号バス、データバスなどを含み得る１つまたは複数のバスによって一緒に結合され得る。明確にするために、図２４では様々なバスはバスシステム２４１９として示される。
【０１５４】
本明細書で説明される技法は、直交多重化方式に基づく通信システムを含む様々な通信システムに使用され得る。そのような通信システムの例には、直交周波数分割多元接続（ＯＦＤＭＡ）システム、シングルキャリア周波数分割多元接続（ＳＣ−ＦＤＭＡ）システムなどがある。ＯＦＤＭＡシステムは、全システム帯域幅を複数の直交サブキャリアに区分する変調技法である、直交周波数分割多重化（ＯＦＤＭ）を利用する。これらのサブキャリアは、トーン、ビンなどとも呼ばれ得る。ＯＦＤＭでは、各サブキャリアはデータによって独立に変調され得る。ＳＣ−ＦＤＭＡシステムは、システム帯域幅にわたって分散されたサブキャリア上で送信するためのｉｎｔｅｒｌｅａｖｅｄ  ＦＤＭＡ（ＩＦＤＭＡ）、隣接するサブキャリアのブロック上で送信するためのｌｏｃａｌｉｚｅｄ  ＦＤＭＡ（ＬＦＤＭＡ）、または隣接するサブキャリアの複数のブロック上で送信するためのｅｎｈａｎｃｅｄ  ＦＤＭＡ（ＥＦＤＭＡ）を利用することができる。一般に、変調シンボルは、ＯＦＤＭでは周波数領域で、ＳＣ−ＦＤＭＡでは時間領域で送られる。
【０１５５】
上の説明では、時々、様々な用語とともに参照番号が使用されてきた。用語が参照番号とともに使用されている場合、これは、図の１つまたは複数に示された特定の要素を指すものとする。用語が参照番号を伴わずに使用されている場合、これは、概して特定の図に限定されない用語を指すものとする。
【０１５６】
「決定」という用語は、多種多様な動作を包含し、したがって、「決定」は、計算、算出、処理、導出、調査、探索（たとえば、テーブル、データベースまたは別のデータ構造の探索）、確認などを含み得る。また、「決定」は、受信（たとえば、情報を受信すること）、アクセス（たとえば、メモリ中のデータにアクセスすること）などを含み得る。また、「決定」は、解決、選択、選出、確立などを含み得る。
【０１５７】
「に基づいて」という句は、別段に明示されていない限り、「のみに基づいて」を意味しない。言い換えると、「に基づいて」という句は、「のみに基づいて」と「に少なくとも基づいて」の両方を表す。
【０１５８】
「プロセッサ」という用語は、汎用プロセッサ、中央演算処理装置（ＣＰＵ）、マイクロプロセッサ、デジタル信号プロセッサ（ＤＳＰ）、コントローラ、マイクロコントローラ、状態機械などを包含するものと広く解釈されるべきである。いくつかの状況下では、「プロセッサ」は、特定用途向け集積回路（ＡＳＩＣ）、プログラマブル論理デバイス（ＰＬＤ）、フィールドプログラマブルゲートアレイ（ＦＰＧＡ）などを指すことがある。「プロセッサ」という用語は、処理デバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成を指し得る。
【０１５９】
「メモリ」という用語は、電子情報を記憶することが可能な任意の電子コンポーネントを包含するものと広く解釈されるべきである。メモリという用語は、ランダムアクセスメモリ（ＲＡＭ）、読取り専用メモリ（ＲＯＭ）、不揮発性ランダムアクセスメモリ（ＮＶＲＡＭ）、プログラマブル読取り専用メモリ（ＰＲＯＭ）、消去可能プログラマブル読取り専用メモリ（ＥＰＲＯＭ）、電気的消去可能ＰＲＯＭ（ＥＥＰＲＯＭ）、フラッシュメモリ、磁気または光学データ記憶装置、レジスタなどのような、様々なタイプのプロセッサ可読媒体を指し得る。プロセッサがメモリから情報を読み取り、かつ／または情報をメモリに書き込むことができる場合、メモリはプロセッサと電子的に通信していると言われる。プロセッサに一体化されたメモリは、プロセッサと電子通信している。
【０１６０】
「命令」および「コード」という用語は、任意のタイプの（１つまたは複数の）コンピュータ可読ステートメントを含むものと広く解釈されるべきである。たとえば、「命令」および「コード」という用語は、１つまたは複数のプログラム、ルーチン、サブルーチン、関数、プロシージャなどを指し得る。「命令」および「コード」は、単一のコンピュータ可読ステートメントまたは多くのコンピュータ可読ステートメントを備え得る。
【０１６１】
本明細書で説明される機能は、ハードウェアによって実行されるソフトウェアまたはファームウェアで実装され得る。機能は、１つまたは複数の命令としてコンピュータ可読媒体上に記憶され得る。「コンピュータ可読媒体」または「コンピュータプログラム製品」という用語は、コンピュータまたはプロセッサによってアクセスすることができる、任意の有形の記憶媒体を指す。限定ではなく例として、コンピュータ可読媒体は、ＲＡＭ、ＲＯＭ、ＥＥＰＲＯＭ、ＣＤ−ＲＯＭもしくは他の光ディスク記憶デバイス、磁気ディスク記憶デバイスもしくは他の磁気記憶デバイス、または命令もしくはデータ構造の形式で所望のプログラムコードを搬送または記憶するために使用されコンピュータによってアクセスされ得る、任意の他の媒体を備え得る。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザで光学的に再生する。コンピュータ可読媒体は、有形で非一時的であり得ることに留意されたい。「コンピュータプログラム製品」という用語は、コンピューティングデバイスまたはプロセッサによって実行、処理または計算され得るコードまたは命令（たとえば、「プログラム」）と組み合わされたコンピューティングデバイスまたはプロセッサを指す。本明細書で使用される「コード」という用語は、コンピューティングデバイスまたはプロセッサによって実行可能であるソフトウェア、命令、コードまたはデータを指し得る。
【０１６２】
ソフトウェアまたは命令はまた、送信媒体を介して送信され得る。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、伝送媒体の定義に含まれる。
【０１６３】
本明細書で開示される方法は、説明された方法を達成するための１つまたは複数のステップまたは動作を備える。本方法のステップおよび／または動作は、特許請求の範囲から逸脱することなく互いに交換され得る。言い換えると、説明されている方法の適切な動作のためにステップまたは動作の特定の順序が必要とされない限り、特定のステップおよび／または動作の順序および／または使用は、特許請求の範囲から逸脱することなく修正され得る。
【０１６４】
さらに、図９、図１０、および図１２によって示されたものなど、本明細書で説明される方法および技法を実行するためのモジュールおよび／または他の適切な手段は、デバイスによってダウンロードされ、かつ／または他の方法で取得され得ることを理解されたい。たとえば、デバイスは、本明細書で説明される方法を実行するための手段の転送を可能にするために、サーバに結合され得る。代替的に、本明細書で説明される様々な方法は、記憶手段をデバイスに結合するかまたは提供するときにデバイスが様々な方法を取得できるように、記憶手段（たとえば、ランダムアクセスメモリ（ＲＡＭ）、読取り専用メモリ（ＲＯＭ）、コンパクトディスク（disc）（ＣＤ）またはフロッピー（登録商標）ディスク（disk）などのような物理的記憶媒体など）を介して提供され得る。さらに、本明細書で説明される方法および技法をデバイスに提供するための任意の他の適切な技法が利用され得る。
【０１６５】
特許請求の範囲は、上に示された厳密な構成およびコンポーネントに限定されないことを理解されたい。特許請求の範囲から逸脱することなく、本明細書で説明されたシステム、方法、および装置の構成、動作および詳細において、様々な改変、変更および変形が行われ得る。
以下に、本願出願の当初の特許請求の範囲に記載された発明を付記する。
［１］複数のワイヤレス通信デバイスから確認応答を受信するための方法であって、前記方法は下記を備える、
前記複数のワイヤレス通信デバイスに宛てられる第１の確認応答メッセージを送信することであって、前記第１の確認応答メッセージが、前記ワイヤレス通信デバイスがデバイス確認応答メッセージを送信すべき期間を各ワイヤレス通信デバイスに対して示す、送信することと、
前記ワイヤレス通信デバイスに対して示された、そのデバイス確認応答メッセージを送信するための前記期間内に送信されたデバイス確認応答メッセージを、前記複数のワイヤレス通信デバイスの各々から受信すること。
［２］前記複数のワイヤレス通信デバイスの各々をアドレス指定する単一の確認応答メッセージの形式で前記第１の確認応答メッセージを生成することをさらに備え、前記第１の確認応答メッセージを送信することが、前記複数のワイヤレス通信デバイスによる受信のために前記単一の確認応答メッセージを送信することを備える、［１］に記載の方法。
［３］前記単一の確認応答メッセージが、前記単一の確認応答メッセージによってアドレス指定される前記複数のワイヤレス通信デバイスのアドレスのリストを備え、前記アドレスの前記リスト内の相対的な位置が、前記ワイヤレス通信デバイスがそのデバイス確認応答メッセージを送信すべき前記期間を示すものである、［２］に記載の方法。
［４］アドレスの前記リストの中の各ワイヤレス通信デバイスのアドレスが、Ｔｅｍｐｏｒａｒｙ  Ｆｌｏｗ  Ｉｄｅｎｔｉｆｉｅｒ（ＴＦＩ）である、［３］に記載の方法。
［５］前記第１の確認応答メッセージが、各々のアドレス指定されたワイヤレス通信デバイスのためのＡｃｋ／Ｎａｃｋ情報を備える、［１］に記載の方法。
［６］前記第１の確認応答メッセージが、前記デバイス確認応答メッセージが前記複数のワイヤレス通信デバイスによって送信されるべきであることを示す、［１］に記載の方法。
［７］前記第１の確認応答メッセージが少なくとも１つの確認応答グループを示し、各確認応答グループが、グループのワイヤレス通信デバイスがそれらのデバイス確認応答メッセージを送信すべき共通の時間間隔を割り当てられた、前記ワイヤレス通信デバイスの前記グループを備える、［１］に記載の方法。
［８］前記共通の時間間隔が、１つまたは複数のフレームを備える相対予約ブロック期間である、［７］に記載の方法。
［９］前記第１の確認応答メッセージが、前記第１の確認応答メッセージが送信された第１の時間間隔を示し、前記第１の確認応答メッセージが、前記複数のワイヤレス通信デバイスのすべてと関連付けられる基本的な相対予約ブロック期間を示し、前記１つまたは複数のフレームに追加するフレームの数を示す、［８］に記載の方法。
［１０］下記を備える、複数のワイヤレス通信デバイスから確認応答を受信するための装置、
前記複数のワイヤレス通信デバイスに宛てられる第１の確認応答メッセージを送信するための手段であって、前記第１の確認応答メッセージが、前記ワイヤレス通信デバイスがデバイス確認応答メッセージを送信すべき期間を各ワイヤレス通信デバイスに対して示す、手段と、
前記ワイヤレス通信デバイスに対して示された、そのデバイス確認応答メッセージを送信するための前記期間内に送信されたデバイス確認応答メッセージを、前記複数のワイヤレス通信デバイスの各々から受信するための手段。
［１１］前記複数のワイヤレス通信デバイスの各々をアドレス指定する単一の確認応答メッセージの形式で前記第１の確認応答メッセージを生成するための手段をさらに備え、前記第１の確認応答メッセージを送信することが、前記複数のワイヤレス通信デバイスによる受信のために前記単一の確認応答メッセージを送信することを備える、［１０］に記載の装置。
［１２］前記単一の確認応答メッセージが、前記単一の確認応答メッセージによってアドレス指定される前記複数のワイヤレス通信デバイスのアドレスのリストを備え、アドレスの前記リスト内の相対的な位置が、前記ワイヤレス通信デバイスがそのデバイス確認応答メッセージを送信すべき前記期間を示すものである、［１１］に記載の装置。
［１３］アドレスの前記リストの中の各ワイヤレス通信デバイスのアドレスが、Ｔｅｍｐｏｒａｒｙ  Ｆｌｏｗ  Ｉｄｅｎｔｉｆｉｅｒ（ＴＦＩ）である、［１２］に記載の装置。
［１４］前記第１の確認応答メッセージが、各々のアドレス指定されたワイヤレス通信デバイスのためのＡｃｋ／Ｎａｃｋ情報を備える、［１０］に記載の装置。
［１５］前記第１の確認応答メッセージが、前記デバイス確認応答メッセージが前記複数のワイヤレス通信デバイスによって送信されるべきであることを示す、［１０］に記載の装置。
［１６］前記第１の確認応答メッセージが少なくとも１つの確認応答グループを示し、各確認応答グループが、グループのワイヤレス通信デバイスがそれらのデバイス確認応答メッセージを送信すべき共通の時間間隔を割り当てられた、前記ワイヤレス通信デバイスの前記グループを備える、［１０］に記載の装置。
［１７］前記共通の時間間隔が、１つまたは複数のフレームを備える相対予約ブロック期間である、［１６］に記載の装置。
［１８］前記第１の確認応答メッセージが、前記第１の確認応答メッセージが送信された第１の時間間隔を示し、前記第１の確認応答メッセージが、前記複数のワイヤレス通信デバイスのすべてと関連付けられる基本的な相対予約ブロック期間を示し、前記１つまたは複数のフレームに追加するフレームの数を示す、［１７］に記載の装置。
［１９］命令を有する非一時的コンピュータ可読媒体を備える、複数のワイヤレス通信デバイスから確認応答を受信するためのコンピュータプログラム製品であって、前記命令は下記を備える、
基地局に、前記複数のワイヤレス通信デバイスに宛てられる第１の確認応答メッセージを送信させるためのコードであって、前記第１の確認応答メッセージが、前記ワイヤレス通信デバイスがデバイス確認応答メッセージを送信すべき期間を各ワイヤレス通信デバイスに対して示す、コードと、
前記基地局に、前記ワイヤレス通信デバイスに対して示された、そのデバイス確認応答メッセージを送信するための前記期間内に送信されたデバイス確認応答メッセージを、前記複数のワイヤレス通信デバイスの各々から受信させるためのコード。
［２０］下記を備える、ワイヤレス通信デバイスからデバイス確認応答を送信するための方法、
複数のワイヤレス通信デバイスに宛てられた第１の確認応答メッセージを基地局から受信することと、
前記第１の確認応答メッセージから前記ワイヤレス通信デバイスと関連付けられる期間を決定することと、
前記期間内にデバイス確認応答メッセージを送信すること。
［２１］前記期間を決定することが、前記複数のワイヤレス通信デバイスの他のデバイスではなく前記ワイヤレス通信デバイスに向けられる、前記第１の確認応答メッセージの部分を決定することを備える、［２０］に記載の方法。
［２２］前記第１の確認応答メッセージが、前記第１の確認応答メッセージによってアドレス指定された前記複数のワイヤレス通信デバイスのアドレスのリストを備え、前記期間を決定することが、前記ワイヤレス通信デバイスのアドレスの、アドレスの前記リスト内の相対的な位置を決定することを備え、前記期間が、前記相対的な位置に基づいて決定される、［２０］に記載の方法。
［２３］アドレスの前記リストの中の前記ワイヤレス通信デバイスのアドレスが、Ｔｅｍｐｏｒａｒｙ  Ｆｌｏｗ  Ｉｄｅｎｔｉｆｉｅｒ（ＴＦＩ）である、［２２］に記載の方法。
［２４］前記第１の確認応答メッセージが、前記複数のワイヤレス通信デバイスの各々のためのＡｃｋ／Ｎａｃｋ情報を備える、［２０］に記載の方法。
［２５］前記第１の確認応答メッセージから、前記デバイス確認応答メッセージが前記期間内に送信されるべきであることを決定することをさらに備える、［２０］に記載の方法。
［２６］前記第１の確認応答メッセージが、デバイス確認応答メッセージを送信すべき共通の時間間隔を割り当てられたワイヤレス通信デバイスのグループを備える少なくとも１つの確認応答グループを示す、［２０］に記載の方法であって、前記方法は、前記ワイヤレス通信デバイスに割り当てられた前記共通の時間間隔に基づいて、確認応答グループの中のワイヤレス通信デバイスのメンバーシップを判定することをさらに備え、前記デバイス確認応答メッセージを送信することが、前記ワイヤレス通信デバイスに割り当てられた前記共通の時間間隔内に前記デバイス確認応答メッセージを送信することを備える。
［２７］前記共通の時間間隔が相対予約ブロック期間であり、前記期間が１つまたは複数のフレームを備える、［２６］に記載の方法。
［２８］前記期間を決定することが、前記ワイヤレス通信デバイスがメンバーである前記確認応答グループのメンバーである他のワイヤレス通信デバイスのアドレスの位置に対する、アドレスの前記リスト内での前記ワイヤレス通信デバイスのアドレスの相対的な位置に基づいて、前記ワイヤレス通信デバイスに割り当てられる前記共通の時間間隔内の少なくとも１つのフレームとして、前記期間を決定することを備える、［２６］に記載の方法。
［２９］前記第１の確認応答メッセージが、前記第１の確認応答メッセージが送信された第１の時間間隔と、前記複数のデバイスのすべてと関連付けられる第２の時間間隔とを示し、前記期間を前記決定することが、前記第１の時間間隔および前記第２の時間間隔に基づく、［２６］に記載の方法。
［３０］前記第１の時間間隔が、前記第１の確認応答メッセージを備える無線ブロックの第１のフレームであり、前記第２の時間間隔が、基本的な相対予約ブロック期間である、［２９］に記載の方法。
［３１］前記期間を決定することが、前記第１の確認応答メッセージによってアドレス指定される１つまたは複数の他のワイヤレス通信デバイスによってデバイス確認応答メッセージのために使用されるフレームの数を決定することを備える、［２０］に記載の方法。
［３２］下記を備える、デバイス確認応答を送信するためのワイヤレス通信デバイス、
複数のワイヤレス通信デバイスに宛てられた第１の確認応答メッセージを基地局から受信するための手段と、
前記第１の確認応答メッセージから前記ワイヤレス通信デバイスと関連付けられる期間を決定するための手段と、
前記期間内にデバイス確認応答メッセージを送信するための手段。
［３３］前記期間を決定するための前記手段が、前記複数のワイヤレス通信デバイスの他のデバイスではなく前記ワイヤレス通信デバイスに向けられる、前記第１の確認応答メッセージの部分を決定するための手段を備える、［３２］に記載のワイヤレス通信デバイス。
［３４］前記第１の確認応答メッセージが、前記第１の確認応答メッセージによってアドレス指定された前記複数のワイヤレス通信デバイスのアドレスのリストを備え、前記期間を決定するための前記手段が、前記ワイヤレス通信デバイスのアドレスの、アドレスの前記リスト内の相対的な位置を決定するための手段を備え、前記期間が、前記相対的な位置に基づいて決定される、［３２］に記載のワイヤレス通信デバイス。
［３５］アドレスの前記リストの中の前記ワイヤレス通信デバイスの前記アドレスが、Ｔｅｍｐｏｒａｒｙ  Ｆｌｏｗ  Ｉｄｅｎｔｉｆｉｅｒ（ＴＦＩ）である、［３４］に記載のワイヤレス通信デバイス。
［３６］前記第１の確認応答メッセージが、前記複数のワイヤレス通信デバイスの各々のためのＡｃｋ／Ｎａｃｋ情報を備える、［３２］に記載のワイヤレス通信デバイス。
［３７］前記第１の確認応答メッセージから、前記デバイス確認応答メッセージが前記期間内に送信されるべきであることを決定するための手段をさらに備える、［３２］に記載のワイヤレス通信デバイス。
［３８］前記第１の確認応答メッセージが、デバイス確認応答メッセージを送信すべき共通の時間間隔を割り当てられたワイヤレス通信デバイスのグループを備える少なくとも１つの確認応答グループを示す、［３２］に記載のワイヤレス通信デバイスであって、前記ワイヤレス通信デバイスは、前記ワイヤレス通信デバイスに割り当てられた前記共通の時間間隔に基づいて、確認応答グループの中の前記ワイヤレス通信デバイスのメンバーシップを判定するための手段をさらに備え、前記デバイス確認応答メッセージを送信するための前記手段が、前記ワイヤレス通信デバイスに割り当てられた前記共通の時間間隔内に前記デバイス確認応答メッセージを送信するための手段を備える。
［３９］前記共通の時間間隔が相対予約ブロック期間であり、前記期間が１つまたは複数のフレームを備える、［３８］に記載の装置。
［４０］前記期間を決定するための前記手段が、前記確認応答グループのメンバーである他のワイヤレス通信デバイスのアドレスの位置に対する、前記複数のワイヤレス通信デバイスのアドレスのリスト内での前記ワイヤレス通信デバイスのアドレスの相対的な位置に基づいて、前記ワイヤレス通信デバイスに割り当てられる前記共通の時間間隔内の少なくとも１つのフレームとして、前記期間を決定するための手段を備える、［３８］に記載の装置。
［４１］前記第１の確認応答メッセージが、前記第１の確認応答メッセージが送信された第１の時間間隔と、前記複数のデバイスのすべてと関連付けられる第２の時間間隔とを示し、前記期間の前記決定が、前記第１の時間間隔および前記第２の時間間隔に基づく、［３８］に記載の装置。
［４２］前記第１の時間間隔が、前記第１の確認応答メッセージを備える無線ブロックの第１のフレームであり、前記第２の時間間隔が、基本的な相対予約ブロック期間である、［４１］に記載の装置。
［４３］前記期間を決定するための前記手段が、前記第１の確認応答メッセージによってアドレス指定される１つまたは複数の他のワイヤレス通信デバイスによってデバイス確認応答メッセージのために使用されるフレームの数を決定するための手段を備える、［３２］に記載の装置。
［４４］命令を有する非一時的コンピュータ可読媒体を備える、ワイヤレス通信デバイスから確認応答を送信するためのコンピュータプログラム製品であって、前記命令は下記を備える、
複数のワイヤレス通信デバイスに宛てられた第１の確認応答メッセージを、前記ワイヤレス通信デバイスに、基地局から受信させるためのコードと、
前記ワイヤレス通信デバイスに、前記第１の確認応答メッセージから前記ワイヤレス通信デバイスと関連付けられる期間を決定させるためのコードと、
前記ワイヤレス通信デバイスに、前記期間内にデバイス確認応答メッセージを送信させるためのコード。
［４５］下記を備える、複数のワイヤレス通信デバイスへ確認応答を送信するための方法、
単一の確認応答メッセージを生成することと、ここにおいて前記単一の確認応答メッセージが、基地局が複数のワイヤレス通信デバイスをアドレス指定することを可能にする、
前記単一の確認応答メッセージを、前記複数のワイヤレス通信デバイスへ送信すること。
［４６］前記複数のワイヤレスデバイスから無線リンク制御メッセージを受信することをさらに備える、［４５］に記載の方法。
［４７］前記確認応答メッセージが、各ワイヤレス通信デバイスのための一時的なフローアイデンティティを備える、［４５］に記載の方法。
［４８］前記確認応答メッセージが、アドレス指定されたワイヤレス通信デバイスのための相対予約ブロック期間を備える、［４５］に記載の方法。
［４９］前記確認応答メッセージがパケットアップリンクＡＣＫ／ＮＡＣＫである、［４５］に記載の方法。
［５０］前記確認応答メッセージ内での相対予約ブロック期間の情報の存在が、対応する一時的なフローアイデンティティによってアドレス指定される前記ワイヤレス通信デバイスがパケット制御確認応答についてポーリングされることを示唆する、［４８］に記載の方法。
［５１］前記確認応答メッセージのヘッダ中のＥＳ／Ｐフィールドが使用されない、［５０］に記載の方法。
［５２］前記確認応答メッセージが、最終的な確認応答を受信していない各ワイヤレス通信デバイスのための、可変長確認応答ビットマップを備える、［４５］に記載の方法。
［５３］前記確認応答メッセージが、一部のワイヤレス通信デバイスのための最終的な確認応答と、他のワイヤレス通信デバイスのための可変長確認応答ビットマップとの組合せを備える、［４５］に記載の方法。
［５４］相対予約ブロック期間のビットの数が、２ビットを超えて拡張される、［４５］に記載の方法。
［５５］前記方法が基地局によって実行される、［４５］に記載の方法。
［５６］各ワイヤレス通信デバイスのための受信された無線リンク制御メッセージが、前記ワイヤレス通信デバイスによって送られたすべての無線リンク制御データブロックを備えるかどうかを判定することをさらに備える、［４５］に記載の方法。
［５７］下記を備える、ワイヤレス通信デバイスによって確認応答を受信するための方法、
基地局から確認応答メッセージを受信することと、
前記ワイヤレス通信デバイスに対応する前記確認応答メッセージの部分を決定すること。
［５８］前記ワイヤレス通信デバイスに対応する前記確認応答メッセージの前記部分が、最終的な確認応答か、または可変長確認応答ビットマップかを判定することをさらに備える、［５７］に記載の方法。
［５９］前記ワイヤレス通信デバイスに対応する前記確認応答メッセージの前記部分が最終的な確認応答であり、前記ワイヤレス通信デバイスが、前記ワイヤレス通信デバイスによって前記基地局へ送られた無線リンク制御データブロックを前記基地局が受信に成功したことを認識する、［５８］に記載の方法。
［６０］前記ワイヤレス通信デバイスに対応する前記確認応答メッセージの前記部分が可変長確認応答ビットマップであり、前記基地局へ再び送るための１つまたは複数の無線リンク制御データブロックを決定することをさらに備える、［５８］に記載の方法。
［６１］前記決定された１つまたは複数の無線リンク制御データブロックを前記基地局へ送ることをさらに備える、［６０］に記載の方法。
［６２］１つまたは複数の無線リンク制御データブロックを前記基地局へ送ることをさらに備える、［５７］に記載の方法。
［６３］前記確認応答メッセージが、前記基地局が複数のワイヤレス通信デバイスをアドレス指定することを可能にする、［５７］に記載の方法。
［６４］前記確認応答メッセージが、各ワイヤレス通信デバイスのための一時的なフローアイデンティティを備える、［５７］に記載の方法。
［６５］前記確認応答メッセージが、前記基地局によってアドレス指定されたワイヤレス通信デバイスのための相対予約ブロック期間を備える、［５７］に記載の方法。
［６６］前記確認応答メッセージがパケットアップリンクＡＣＫ／ＮＡＣＫである、［５７］に記載の方法。
［６７］下記を備える、複数のワイヤレス通信デバイスへ確認応答を送信するための装置、
プロセッサと、
前記プロセッサと電子通信するメモリと、
前記メモリに記憶された命令であって、前記命令が、前記プロセッサによって、
単一の確認応答メッセージを生成するように、ここにおいて前記単一の確認応答メッセージが、基地局が複数のワイヤレス通信デバイスをアドレス指定することを可能にする、および
前記単一の確認応答メッセージを、前記複数のワイヤレス通信デバイスへ送信するように、
実行可能である。
［６８］下記を備える、基地局から確認応答を受信するための装置、
プロセッサと、
前記プロセッサと電子通信するメモリと、
前記メモリに記憶された命令であって、前記命令が、前記プロセッサによって、
前記基地局から確認応答メッセージを受信するように、および
前記装置に対応する前記確認応答メッセージの部分を決定するように、
実行可能である。
［６９］下記を備える、複数のワイヤレス通信デバイスへ確認応答を送信するためのワイヤレスデバイス、
単一の確認応答メッセージを生成するための手段と、ここにおいて前記単一の確認応答メッセージが、基地局が複数のワイヤレス通信デバイスをアドレス指定することを可能にする、
前記単一の確認応答メッセージを、前記複数のワイヤレス通信デバイスへ送るための手段。
［７０］下記を備える、基地局から確認応答を受信するためのワイヤレスデバイス、
前記基地局から確認応答メッセージを受信するための手段と、
前記ワイヤレスデバイスに対応する前記確認応答メッセージの部分を決定するための手段。
［７１］命令を有する非一時的コンピュータ可読媒体を備える、複数のワイヤレス通信デバイスへ確認応答を送信するためのコンピュータプログラム製品であって、前記命令は下記を備える、
基地局に、単一の確認応答メッセージを生成させるためのコードと、ここにおいて前記単一の確認応答メッセージが、基地局が複数のワイヤレス通信デバイスをアドレス指定することを可能にする、
前記基地局に、前記単一の確認応答メッセージを前記複数のワイヤレス通信デバイスへ送らせるためのコード。
［７２］命令を有する非一時的コンピュータ可読媒体を備える、基地局から確認応答を受信するためのコンピュータプログラム製品であって、前記命令は下記を備える、
ワイヤレス通信デバイスに、前記基地局から確認応答メッセージを受信させるためのコードと、
前記ワイヤレス通信デバイスに、前記ワイヤレス通信デバイスに対応する前記確認応答メッセージの部分を決定させるためのコード。
【図１】
0005579942.tif 000016
【図２】
0005579942.tif 000017
【図３】
0005579942.tif 000018
【図４】
0005579942.tif 000019
【図５】
0005579942.tif 000020
【図６】
0005579942.tif 000021
【図７】
0005579942.tif 000022
【図８】
0005579942.tif 000023
【図９】
0005579942.tif 000024
【図１０】
0005579942.tif 000025
【図１１】
0005579942.tif 000026
【図１２】
0005579942.tif 000027
【図１３】
0005579942.tif 000028
【図１４】
0005579942.tif 000029
【図１５】
0005579942.tif 000030
【図１６】
0005579942.tif 000031
【図１７】
0005579942.tif 000032
【図１８】
0005579942.tif 000033
【図１９】
0005579942.tif 000034
【図２０】
0005579942.tif 000035
【図２１】
0005579942.tif 000036
【図２２】
0005579942.tif 000037
【図２３】
0005579942.tif 000038
【図２４】
0005579942.tif 000039